(57)【要約】  光ファイバ通信デバイスは複数の通信シャーシを取り付けるためのラックを有する。通信シャーシがスライド可能に取り付けられ、垂直にスタックされた複数のトレイを含む。各トレイが、光ファイバ接続箇所と、トレイと通信シャーシに連結されたケーブル管理部を含む。ケーブル管理部が、光ファイバ接続箇所に向かうケーブルおよび光ファイバ接続箇所からのケーブルを管理し、複数のリンクアームによって構成される。複数のリンクアームが、トレイの移動に対応して管理部が引っ込むおよび伸展するように旋回可能に互いに接続し、その管理するケーブルが所定値に比べて小さい曲率半径の円弧状に曲がらないように互いに対して旋回する。各リンクアームが、上壁、底壁、および対向し合う２つの側壁と、その内部にケーブルを受け入れるための、少なくとも一方の側壁に沿う開口部と上壁に沿う開口部とを備える。上壁に沿う開口部と少なくとも一方の側壁に沿う開口部とがつながり合う。
2016505175.tif 000002
【特許請求の範囲】
【請求項１】
通信フレームに取り付けられる通信シャーシを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合う、光ファイバ通信デバイス。
【請求項２】
少なくとも２つの旋回可能に接続されたリンクアームが、それらの間に、相互に離間するようにリンクアームを付勢する圧縮ばねを含んでいる、請求項１に記載の光ファイバ通信デバイス。
【請求項３】
シャーシが、垂直にスタックされた状態の３個のスライド可能な光ファイバトレイを含み、
シャーシが、１ＲＵの標準的な通信ラックスペースを占有する、請求項１に記載の光ファイバ通信デバイス。
【請求項４】
シャーシが、シャーシの右側で垂直にスタックされた状態の３個のスライド可能な光ファイバトレイと、シャーシの左側で垂直にスタックされた状態の３個のスライド可能な光ファイバトレイとを含み、
シャーシが、１ＲＵの標準的な通信ラックスペースを占有する、請求項３に記載の光ファイバ通信デバイス。
【請求項５】
シャーシが、垂直にスタックされた状態の１２個のスライド可能な光ファイバトレイを含み、
シャーシが、４ＲＵの標準的な通信ラックスペースを占有する、請求項１に記載の光ファイバ通信デバイス。
【請求項６】
シャーシが、シャーシの右側で垂直にスタックされた状態の１２個のスライド可能な光ファイバトレイと、シャーシの左側で垂直にスタックされた状態の１２個のスライド可能な光ファイバトレイとを含み、
シャーシが、４ＲＵの標準的な通信ラックスペースを占有する、請求項５に記載の光ファイバ通信デバイス。
【請求項７】
接続箇所が、光ファイバアダプタによって構成されている、請求項１に記載の光ファイバ通信デバイス。
【請求項８】
各アダプタが、アダプタに挿入された光ファイバコネクタと電気的に接続するように構成された電気的接点を含み、
電気的接点が、シャーシに搭載されたコントローラにつながれ、
シャーシに搭載されたコントローラが、通信フレームに搭載されたコントローラと電気的に通信するように構成されている、請求項７に記載の光ファイバ通信デバイス。
【請求項９】
光ファイバアダプタが、スナップ係合式のインターロックでトレイに取り付けられている、請求項７に記載の光ファイバ通信デバイス。
【請求項１０】
光ファイバアダプタが、ＬＣ型アダプタである、請求項７に記載の光ファイバ通信デバイス。
【請求項１１】
ケーブル管理部が、旋回可能に互いに接続された５個のリンクアームを含む、請求項１に記載の光ファイバ通信デバイス。
【請求項１２】
複数の光ファイバトレイが、フレキシブルレバーを介して通信シャーシから取り外し可能である、請求項１に記載の光ファイバ通信デバイス。
【請求項１３】
各トレイが、ギヤ機構を含むスライドアセンブリを介してシャーシに取り付けられている、請求項１に記載の光ファイバ通信デバイス。
【請求項１４】
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、請求項１３に記載の光ファイバ通信デバイス。
【請求項１５】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項１４に記載の光ファイバ通信デバイス。
【請求項１６】
マイクロプリント回路基板が、特定のトレイを識別するための少なくとも１つの発光ダイオードを含んでいる、請求項１５に記載の光ファイバ通信デバイス。
【請求項１７】
複数のリンクアームが、それらの間の旋回挙動を制限するように互いに対して旋回可能に連結し、
少なくともいくつかのリンクアームが、それらの間で旋回挙動を実現する、第１のオス型端上の円筒状タブと対向する第２のメス型端上の円筒状穴とによって構成されるスナップ係合連結部を含んでいる、請求項１に記載の光ファイバ通信デバイス。
【請求項１８】
シャーシが、シャーシにスライド可能に取り付けられた複数の光ファイバトレイへのアクセスを許可するおよび制限する、ばね式のラッチ機構を備える少なくとも１つの旋回ドアを含んでいる、請求項１に記載の光ファイバ通信デバイス。
【請求項１９】
複数の通信シャーシを取り付けるための通信ラックを有し、
通信シャーシが、
シャーシにスライド可能にそれぞれ取り付けられ、垂直にスタックされ、且つ、それぞれが閉蔵位置と自由アクセス位置との間でスライド移動可能な複数の光ファイバトレイを含み、
各光ファイバトレイが、
通信フレームを経由するケーブルを接続するための光ファイバ接続箇所と、
第１の端で光ファイバトレイに連結され、且つ、第２の端で通信シャーシに連結されるケーブル管理部と、を含み、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合う、光ファイバ通信デバイス。
【請求項２０】
少なくとも２つの旋回可能に接続されたリンクアームが、それらの間に、相互に離間するようにリンクアームを付勢する圧縮ばねを含んでいる、請求項１９に記載の光ファイバ通信デバイス。
【請求項２１】
シャーシが、垂直にスタックされた状態の３個のスライド可能な光ファイバトレイを含み、
シャーシが、１ＲＵの標準的な通信ラックスペースを占有する、請求項１９に記載の光ファイバ通信デバイス。
【請求項２２】
シャーシが、シャーシの右側で垂直にスタックされた状態の３個のスライド可能な光ファイバトレイと、シャーシの左側で垂直にスタックされた状態の３個のスライド可能な光ファイバトレイとを含み、
シャーシが、１ＲＵの標準的な通信ラックスペースを占有する、請求項２１に記載の光ファイバ通信デバイス。
【請求項２３】
シャーシが、垂直にスタックされた状態の１２個のスライド可能な光ファイバトレイを含み、
シャーシが、４ＲＵの標準的な通信ラックスペースを占有する、請求項１９に記載の光ファイバ通信デバイス。
【請求項２４】
シャーシが、シャーシの右側で垂直にスタックされた状態の１２個のスライド可能な光ファイバトレイと、シャーシの左側で垂直にスタックされた状態の１２個のスライド可能な光ファイバトレイとを含み、
シャーシが、４ＲＵの標準的な通信ラックスペースを占有する、請求項２３に記載の光ファイバ通信デバイス。
【請求項２５】
接続箇所が、光ファイバアダプタによって構成されている、請求項１９に記載の光ファイバ通信デバイス。
【請求項２６】
各アダプタが、アダプタに挿入された光ファイバコネクタと電気的に接続するように構成された電気的接点を含み、
電気的接点が、シャーシに搭載されたコントローラにつながれ、
シャーシに搭載されたコントローラが、通信フレームに搭載されたコントローラと電気的に通信するように構成されている、請求項２５に記載の光ファイバ通信デバイス。
【請求項２７】
光ファイバアダプタが、スナップ係合式のインターロックでトレイに取り付けられている、請求項２５に記載の光ファイバ通信デバイス。
【請求項２８】
光ファイバアダプタが、ＬＣ型アダプタである、請求項２５に記載の光ファイバ通信デバイス。
【請求項２９】
ケーブル管理部が、旋回可能に互いに接続された５個のリンクアームを含む、請求項１９に記載の光ファイバ通信デバイス。
【請求項３０】
複数の光ファイバトレイが、フレキシブルレバーを介して通信シャーシから取り外し可能である、請求項１９に記載の光ファイバ通信デバイス。
【請求項３１】
各トレイが、ギヤ機構を含むスライドアセンブリを介してシャーシに取り付けられている、請求項１９に記載の光ファイバ通信デバイス。
【請求項３２】
スライドアセンブリが、トレイの前後に移動するにつれて曲がるフレキシブルプリント回路基板を収容し、
フレキシブルプリント回路基板が、トレイの光ファイバ接続箇所からの情報をシャーシの他の部分に送信するように構成されている、請求項３１に記載の光ファイバ通信デバイス。
【請求項３３】
フレキシブルプリント回路基板が、トレイの光ファイバ接続箇所からの情報をシャーシの中央プリント回路基板に送信し、
フレキシブルプリント回路基板から中央プリント回路基板までの接続が、スライドアセンブリ内に取り外し可能に取り付けられている取り外し可能マイクロプリント回路基板を介して行われている、請求項３２に記載の光ファイバ通信デバイス。
【請求項３４】
マイクロプリント回路基板が、特定のトレイを識別するための少なくとも１つの発光ダイオードを含んでいる、請求項３３に記載の光ファイバ通信デバイス。
【請求項３５】
複数のリンクアームが、それらの間の旋回挙動を制限するように互いに対して旋回可能に連結し、
少なくともいくつかのリンクアームが、それらの間で旋回挙動を実現する、第１のオス型端上の円筒状タブと対向する第２のメス型端上の円筒状穴とによって構成されるスナップ係合連結部を含んでいる、請求項１９に記載の光ファイバ通信デバイス。
【請求項３６】
シャーシが、シャーシにスライド可能に取り付けられた複数の光ファイバトレイへのアクセスを許可するおよび制限する、ばね式のラッチ機構を備える少なくとも１つの旋回ドアを含んでいる、請求項１９に記載の光ファイバ通信デバイス。
【請求項３７】
光ファイバ通信トレイであって、
トレイをスライド可能に通信構造物に取り付けるための第１および第２のスライド部と、
第１および第２のスライド部の間に配置された接続部と、
トレイの接続部によって構成され、ケーブルを接続するための、光ファイバ接続箇所と、
第１の端で光ファイバトレイに連結し、トレイを受け入れる通信構造物に連結する第２の端を備えるケーブル管理部と、を有し、
ケーブル管理部が、光ファイバ接続箇所に向かうケーブルおよび光ファイバ接続箇所からのケーブルを管理するように構成され、
ケーブル管理部が、複数のリンクアームによって構成され、
複数のリンクアームが、リンクアームが互いに対して旋回してトレイの移動に対応してケーブル管理部が引っ込むおよび伸展するように、旋回可能に互いに接続し、
複数のリンクアームが、トレイの移動中にその管理するケーブルが所定値に比べて小さい曲率半径の円弧状に曲がらないように、互いに対して旋回するように構成され、
各リンクアームが、上壁、底壁、および対向し合う２つの側壁を備え、
各リンクアームが、その内部にケーブルを受け入れるための、少なくとも一方の側壁に沿う開口部と上壁に沿う開口部とを備え、
上壁に沿う開口部と少なくとも一方の側壁に沿う開口部とがつながり合う、光ファイバ通信トレイ。
【請求項３８】
少なくとも２つの旋回可能に接続されたリンクアームが、それらの間に、相互に離間するようにリンクアームを付勢する圧縮ばねを含んでいる、請求項３７に記載の光ファイバ通信トレイ。
【請求項３９】
接続箇所が、光ファイバアダプタによって構成されている、請求項３７に記載の光ファイバ通信トレイ。
【請求項４０】
光ファイバアダプタが、スナップ係合式のインターロックでトレイに取り付けられている、請求項３９に記載の光ファイバ通信トレイ。
【請求項４１】
光ファイバアダプタが、ＬＣ型アダプタである、請求項３９に記載の光ファイバ通信トレイ。
【請求項４２】
ケーブル管理部が、旋回可能に互いに接続された５個のリンクアームを含む、請求項３９に記載の光ファイバ通信トレイ。
【発明の詳細な説明】
【関連出願の相互参照】
【０００１】
本出願は、２０１３年２月５日に出願された米国特許出願第６１／７６１，００９号、２０１３年２月１１日に出願された米国特許出願第６１／７６３，３４７号、２０１３年７月８日に出願された米国特許出願第６１／８４３，７４４号、２０１３年７月９日に出願された米国特許出願第６１／８４３，９７７号、および２０１４年１月３１日に出願された米国特許出願第１４／１６９，９４１号の優先権を主張する２０１４年２月５日に出願されたＰＣＴ国際特許出願であって、これらの出願は全体として本明細書に組み込まれている。
【技術分野】
【０００２】
本開示は、概略、光ファイバ通信部品に関する。特に、本開示は、高密度な用途ように構成されたスライド可能な光ファイバトレイまたはブレードに関するとともに、複数の光ファイバトレイを支持するように構成されたラックまたはフレームに関する。
【背景技術】
【０００３】
通信産業において、キャパシティの増加が急激に求められている。このような要望については、光ファイバ伝送部品の数や密度を増加させることによってある程度は対処されている。光ファイバ部品によって従来の銅線伝送に比べて同一または小さいフットプリントで高レベルの伝送が可能になっているが、なお一層、高レベルのファイバ密度が要求されている。このことが、高密度でファイバを取り扱う装置の開発につながっている。
【０００４】
このような装置の一例が、ＡＤＣ  Ｔｅｌｅｃｏｍｍｕｎｉｃａｔｉｏｎｓ，Ｉｎｃに譲渡された米国特許第６，５９１，０５１号（”０５１”特許）に開示されている。この特許は、高密度配線フレームとそのフレームに取り付けられる高密度ファイバ終端ブロック（ＦＴＢ）とに関連している。大量の光ファイバがＦＴＢを通過してその外部に出るため、フレームやブロックは、ファイバをまとめて管理するための様々な構造を備えている。いくつかの構造がフレームやブロックの後側に入るファイバを補助するために使用されている。また、前側でＦＴＢから出るケーブルを管理するための他の構造物が設けられている。ＦＴＢはさらに、密集状態で詰められている終端に容易にアクセスするための構造を含んでいる。このような構造の１つとして、ＦＴＢに組み込まれ、ＦＴＢ内部に密集状態で詰められている終端に選択的にアクセスするためのスライド可能なアダプタモジュールがある。
【０００５】
このようなファイバ終端システムは、さらなる発展が望まれている。
【発明の概要】
【０００６】
本開示は、光ファイバ通信デバイスに関する。通信デバイスは、ケーブルのたるみを管理する特徴を備えるスライド可能な光ファイバ接続トレイまたはブレードと、スタック状態でスライド可能トレイを収容するパネルまたはシャーシを支持するラックまたはフレームとを含んでいる。
【０００７】
本開示の一態様によれば、光ファイバ通信デバイスは、通信フレームに取り付けられる通信シャーシを有する。通信シャーシが、シャーシにスライド可能にそれぞれ取り付けられ、垂直にスタックされ、且つ、それぞれが閉蔵位置と自由アクセス位置との間でスライド移動可能な複数の光ファイバトレイを含んでいる。各光ファイバトレイが、通信フレームを経由するケーブルを接続するための光ファイバ接続箇所と、第１の端で光ファイバトレイに連結され、且つ、第２の端で通信シャーシに連結されるケーブル管理部とを含んでいる。ケーブル管理部が、光ファイバ接続箇所に向かうケーブルおよび光ファイバ接続箇所からのケーブルを管理するように構成され、また、ケーブル管理部は、複数のリンクアームによって構成され、その複数のリンクアームが、リンクアームが互いに対して旋回してトレイの移動に対応してケーブル管理部が引っ込むおよび伸展するように、旋回可能に互いに接続し、また、複数のリンクアームは、トレイの移動中にその管理するケーブルが所定値に比べて小さい曲率半径の円弧状に曲がらないように、互いに対して旋回するように構成されている。各リンクアームが、上壁、底壁、および対向し合う２つの側壁を備え、また、各リンクアームが、その内部にケーブルを受け入れるための、少なくとも一方の側壁に沿う開口部と上壁に沿う開口部とを備え、その上壁に沿う開口部と少なくとも一方の側壁に沿う開口部とがつながり合う。
【０００８】
本開示の別の態様によれば、光ファイバ通信デバイスは、複数の通信シャーシを取り付けるための通信ラックを有し、その通信シャーシが、シャーシにスライド可能にそれぞれ取り付けられ、垂直にスタックされ、且つ、それぞれが閉蔵位置と自由アクセス位置との間でスライド移動可能な複数の光ファイバトレイを含んでいる。各光ファイバトレイが、通信フレームを経由するケーブルを接続するための光ファイバ接続箇所と、第１の端で光ファイバトレイに連結され、且つ、第２の端で通信シャーシに連結されるケーブル管理部とを含み、そのケーブル管理部が、光ファイバ接続箇所に向かうケーブルおよび光ファイバ接続箇所からのケーブルを管理するように構成され、また、ケーブル管理部は、複数のリンクアームによって構成され、その複数のリンクアームが、リンクアームが互いに対して旋回してトレイの移動に対応してケーブル管理部が引っ込むおよび伸展するように、旋回可能に互いに接続し、また、複数のリンクアームは、トレイの移動中にその管理するケーブルが所定値に比べて小さい曲率半径の円弧状に曲がらないように、互いに対して旋回するように構成されている。各リンクアームが、上壁、底壁、および対向し合う２つの側壁を備え、また、各リンクアームは、その内部にケーブルを受け入れるための、少なくとも一方の側壁に沿う開口部と上壁に沿う開口部とを備え、その上壁に沿う開口部と少なくとも一方の側壁に沿う開口部とがつながり合う。
【０００９】
本開示の別の態様によれば、光ファイバ通信トレイは、トレイをスライド可能に通信構造物に取り付けるための第１および第２のスライド部と、第１および第２のスライド部の間に配置された接続部とを含んでいる。トレイの接続部によって構成され、ケーブルを接続するための、光ファイバ接続箇所と、第１の端で光ファイバトレイに連結し、トレイを受け入れる通信構造物に連結する第２の端を備えるケーブル管理部と、が設けられている。ケーブル管理部が、光ファイバ接続箇所に向かうケーブルおよび光ファイバ接続箇所からのケーブルを管理するように構成され、また、ケーブル管理部は、複数のリンクアームによって構成され、その複数のリンクアームが、リンクアームが互いに対して旋回してトレイの移動に対応してケーブル管理部が引っ込むおよび伸展するように、旋回可能に互いに接続している。また、複数のリンクアームは、トレイの移動中にその管理するケーブルが所定値に比べて小さい曲率半径の円弧状に曲がらないように、互いに対して旋回するように構成され、その各リンクアームは、上壁、底壁、および対向し合う２つの側壁を備え、また、各リンクアームは、その内部にケーブルを受け入れるための、少なくとも一方の側壁に沿う開口部と上壁に沿う開口部とを備え、その上壁に沿う開口部と少なくとも一方の側壁に沿う開口部とがつながり合う。
【００１０】
様々な追加的な発明の態様が以下に記載されている。発明の態様は、個々の特徴や特徴の組み合わせに関連する。理解すべきは、上述の概略的な説明と以下の詳細な説明の両方が、例示であって、また説明のためのものであり、さらに本明細書に開示されている実施の形態が基づく発明の概念の範囲を制限するものではないことである。
【図面の簡単な説明】
【００１１】
【図１】スタック状態に取り付ける本開示の原理に従う発明の態様の例である特徴を備える複数のスライド可能な光ファイバ接続トレイまたはブレードを支持するように構成された高密度ファイバ配線シャーシの前側、右側、および上側を示す分解斜視図
【図２】スライド可能に取り付けられたシャーシのメインまたはマスターコントローラ回路基板とともに、部分的に組み立てられた状態の図１の高密度ファイバ配線シャーシを示す図
【図３】シャーシの外側にある状態であって、部分的に分解された状態の図１のシャーシの第１および第２のトレイアセンブリを示す図
【図４】シャーシの外側にある状態であって、組み立て状態の図３の第１および第２のトレイアセンブリを示す図
【図５】分解状態の図３の第１のトレイアセンブリを示す図
【図６】組み立て状態の図５の第１のトレイアセンブリを示す図
【図７】図１〜図２のシャーシの回路基板を介する電気的接続経路を示す図
【図８】図６の第１のトレイの１つの回路基板を介する電気的接続経路を示す図
【図９】取り付けブロックから第１のトレイアセンブリの１つのトレイまでの、リボンケーブルの形態のフレキシブル回路基板の配線を示す拡大図
【図１０】トレイの中央取り付け部からトレイの光ファイバ接続箇所までの、リボンケーブルの形態のフレキシブル回路基板の配線を示す上側断面図
【図１１】トレイの中央取り付け部からトレイのメイン接続部に移行する図１０のフレキシブル回路基板の一部分の拡大図
【図１２】トレイの中央取り付け部内の図１０のフレキシブル回路基板の別の部分の拡大図
【図１３】第１のトレイアセンブリの取り付けブロックから外された１つの第１のトレイを示す図
【図１４】取り付けブロックの一つの溝内のストッパ面と第１のトレイアセンブリのトレイの１つのストッパタブとの間の相互作用を示す拡大図
【図１５】第１のトレイアセンブリの取り付けブロックの１つの溝内の１つのトレイの中央取り付け部を示す断面図
【図１６】トレイが取り付けブロックに対して前側に完全に引き出されたときにおける、取り付けブロックの１つの溝内での１つのトレイのストッパタブとストッパ面との間の相互作用を示す斜視図
【図１７】図１６のストッパタブとストッパ面の拡大図
【図１８】図３の第１のトレイアセンブリの１つの第１のトレイのケーブル管理部を示す図であって、ケーブル管理部が、右側エンドサポートとトレイアセンブリのトレイとの間を接続し、且つ、複数のケーブル管理リンクアームによって形成されているリンクアームアセンブリによって少なくとも部分的に構成されている状態を示す部分分解図
【図１９】リンクアームアセンブリとトレイアセンブリの右側エンドサポートとを旋回可能に連結する様子を示す拡大図
【図２０】シャーシ内の１つの第１のトレイのためのケーブル配線の例を示すための、図１のシャーシの上側、右側、および前側を示す斜視図
【図２１】シャーシカバーがない状態の図２０のシャーシの上面図
【図２２】１つのトレイがオープン位置に完全に引き出された状態であって、トレイ内のケーブル配線の例を示す、図１のシャーシの斜視図
【図２３】図１の１ＲＵシャーシの特徴と同様の特徴を備える複数の４ＲＵシャーシを収容する第１の実施の形態の管理接続ラックの斜視図
【図２４】シャーシモジュールがない状態の図２３のラックの斜視図
【図２５】ラックコントローラからラック内に取り付けられた個々のシャーシまでのケーブル経路を示すために複数のケーブル管理部が取り外された状態の図２３のラックの斜視図
【図２６】図２３〜図２５のラックと同様の特徴を備え、図１の１ＲＵシャーシの特徴と同様の特徴を備える複数の４ＲＵシャーシを収容する第２の実施の形態の管理接続ラックの斜視図
【図２７】シャーシが取り付けられていない状態の図２６のラックの斜視図
【図２８】ラックコントローラからラック内に取り付けられた個々のシャーシまでのケーブル経路を示すために複数のケーブル管理部が取り外された状態の図２６のラックの斜視図
【図２９】図２３〜図２８のラックと同様の特徴を備え、図１の１ＲＵシャーシの特徴と同様の特徴を備える複数の４ＲＵシャーシを収容する第３の実施の形態の管理接続ラックの斜視図
【図３０】シャーシが取り付けられていない状態の図２９のラックの斜視図
【図３１】ラックコントローラからラック内に取り付けられた個々のシャーシまでのケーブル経路を示すために複数のケーブル管理部が取り外された状態の図２９のラックの斜視図
【図３２】外装ケーブルを接地するためにバスバーが取り付けられた状態の図２３〜図３１のラックの１つと同様のラックの後側、上側、および左側を示す斜視図
【図３３】図３２のラックの後側、底側、および左側の斜視図
【図３４】図３２のラックの後面図
【図３５】ラックのバスバーサポートからバスバーが取り外された状態の図３３のラックを示す図
【図３６】図３５のラックの後側、上側、および左側の斜視図
【図３７】図３５のラックの後面図
【図３８】図３２〜図３７のラックの１つの後側水平方向トラフを分離状態で示し、その水平方向トラフがラックのバスバーサポートを取り付けるように構成されていることを示す斜視図
【図３９】図３２〜図３７のラックに取り付けられるバスバーサポートとそれに配置されたバスバーの前側斜視図
【図４０】図３９のバスバーサポートとバスバーの上面図
【図４１】図３９のバスバーサポートとバスバーの底面図
【図４２】図３９のバスバーサポートとバスバーの前面図
【図４３】図３９のバスバーサポーとバスバーの後側斜視図
【図４４】図３２〜図３７のラックのバスバーサポートのトップカバーの斜視図
【図４５】図３２〜図３７のラックのバスバーサポートのボトムカバーの斜視図
【図４６】図３２〜図３７のラックのバスバーの底側および前側斜視図
【図４７】図４６のバスバーの前面図
【図４８】図４６のバスバーの底面図
【図４９】図２３〜図３７のラックから取り外された１つの４ＲＵ高密度ファイバ配線シャーシの前側、右側、および上側を示す部分的分解斜視図
【図５０】シャーシのメインまたはマスターコントローラ回路基板がスライド可能に取り付けられている状態の、部分的に組み立て状態の図４９の高密度ファイバ配線シャーシを示す図
【図５１】シャーシの外部にある状態であって、部分的に分解状態の図４９のシャーシの第１および第２のトレイアセンブリを示す図
【図５２】シャーシの外部にある状態であって、組み立て状態の図５１の第１および第２のトレイアセンブリを示す図
【図５３】シャーシの外部にある状態であって、分解状態の図５１の第１のトレイアセンブリを示す図
【図５４】組み立て状態の図５３の第１のトレイアセンブリを示す図
【図５５】図４９〜図５０のシャーシの回路基板を介する電気的通信経路を示す図
【図５６】図５１の第１のトレイアセンブリの１つの第１のトレイのケーブル管理部を示す部分的分解図
【図５７】図５６のトレイアセンブリの右側エンドサポートに対して旋回可能に連結された第１のトレイのリンクアームアセンブリを示す拡大図
【図５８】シャーシ内の１つの第１のトレイのケーブル配線構成例を示すために、トップシャーシカバーがない状態の図４９のシャーシの上側、右側、および前側の斜視図
【図５９】図５８の第１のトレイアセンブリの第１のトレイのケーブル管理部の拡大図
【図６０】シャーシカバーがない状態の図５８のシャーシの上面図
【図６１】トレイ内のケーブル配線構成の例を示し、１つのトレイがオープン位置に完全に引き出された状態の図４９のシャーシの斜視図
【図６２】スタック状態に取り付ける本開示の原理に従う発明の態様の例である特徴を備える複数のスライド可能な光ファイバ接続トレイまたはブレードを支持するように構成され、図１〜図２２の１ＲＵシャーシと同様の特徴を含む１ＲＵ高密度ファイバ配線シャーシの前側、右側、および上側を示す分解斜視図
【図６３】図６２のシャーシの部分的分解図
【図６４】取り付けられたトレイアセンブリを示すためにトップシャーシカバーが完全に取り外され、２つのトレイのケーブル管理部がシャーシから外れた状態の図６３のシャーシの部分的分解図
【図６５】トレイがシャーシから外れた状態の図６４のシャーシを示す図
【図６６】シャーシのエンドサポートと中央仕切りアセンブリとがシャーシから外れた状態の図６５のシャーシを示す図
【図６７】分解状態のシャーシの中央仕切りアセンブリを示す図
【図６８】右側エンドサポートがシャーシのメインコントローラまたはＰＣＢを収容するように構成されている、分解状態のシャーシの右側エンドサポートを示す図
【図６９】エンドキャップレバー部を示すためにエンドキャップカバーが取り外された状態のシャーシの右側エンドサポートの取り外し可能エンドキャップの側面図
【図７０】トレイのケーブル管理部が取り外された状態で、且つ、分離状態の図６２〜図６５のシャーシの第１のトレイアセンブリの１つの第１のトレイを示す図
【図７１】トレイＰＣＢカバーがトレイから外れた状態の図７０のトレイの部分的分解図
【図７１Ａ】図７１のトレイの一部分の拡大図
【図７２】トレイのスライドアセンブリの一部分がその特徴を示すために取り除かれている状態の図７０のトレイの完全分解図
【図７３】スライドアセンブリ内のリボンケーブルの形態のフレキシブル回路基板の配線を示すためにスライドアセンブリの中央レールのトップカバーが取り除かれている状態の、トレイのスライドアセンブリの上面図
【図７４】図７２のスライドアセンブリの取り付けレールの部分的分解図
【図７４Ａ】図７４のトレイの一部分の拡大図
【図７５】メイン接続部、中央取り付け部、およびサイド取り付け部を備え、図７２のスライドアセンブリから取り外された図７０のトレイを示す図
【図７６】図６２〜図６５のシャーシの第１のトレイアセンブリの１つの第１のトレイのケーブル管理部の分解図
【図７７】完全組み立て状態の図７６の第１のトレイのケーブル管理部の一部分を示す図
【図７８】図６２〜図６５のシャーシの第２のトレイアセンブリの１つの第２のトレイのケーブル管理部の分解図
【図７９】図６２のシャーシの回路基板を介する電気的通信経路を示す図
【図８０】図６２のシャーシのトップシャーシカバーに対してトップＰＣＢを取り付けるように構成された、シャーシのトップＰＣＢのための取り付けパネルを示す図
【図８１】図６２〜図８０のシャーシに使用される別の実施の形態の旋回ドアの斜視図
【図８２】図８１の旋回ドアの部分的分解図
【図８２Ａ】図８２の旋回ドアの一部分の拡大図
【図８３】図８１の旋回ドアの別の分解図
【図８４】カバーが取り外された状態の図８１のドアのばねラッチ機構の拡大後面図
【図８５】ラッチ位置にあって、図８１のドアから取り外された状態のばねラッチ機構の拡大前面図
【図８６】アンラッチ位置またはオープン位置の図８５のばねラッチ機構を示す図
【図８７】第１のリンクアームと第２のリンクアームとの間に設けられた圧縮ばねアセンブリを含む別のバージョンのリンクアームアセンブリを示す図
【図８７Ａ】図８７のリンクアームアセンブリの一部分の拡大図
【図８８】上から見た図８７のリンクアームを示す図
【図８９】図８７の第１のリンクアームから外された圧縮ばねアセンブリを示す図
【図９０】図８７の圧縮ばねアセンブリの名ばね配ジングの斜視図
【図９１】図９０のばねハウジングの上面図
【図９２】図９０のばねハウジングの底面図
【図９３】図８７の圧縮ばねアセンブリのスライダの斜視図
【図９４】図９３のスライダの別の斜視図
【図９５】図９３のスライダの前面図
【図９６】一対の第１のファンアウトが第１のリンクアームに取り付けられた状態の図８７のリンクアームアセンブリの斜視図
【図９７】図９６のリンクアームアセンブリの別の斜視図
【図９８】図９６のリンクアームアセンブリの上面図
【図９９】図９６のリンクアームアセンブリの第１のリンクアームから外された第１のファンアウトを示す図
【図１００】図９８の１００−１００線に沿った断面図
【図１０１】一対の第２のファンアウトが第１のリンクアームに取り付けられた状態の図８７のリンクアームアセンブリの斜視図
【図１０２】図１０１のリンクアームアセンブリの別の斜視図
【図１０３】図９６のリンクアームアセンブリの上面図
【図１０４】図１０１のリンクアームアセンブリの第１のリンクアームから外された第２のファンアウトを示す図
【図１０５】図１０１のリンクアームアセンブリの第１のリンクアームに対して１つの第２のファンアウトを取り付けるために使用されるファンアウトホルダと、その１つの第２のファンアウトとの分解状態を示す図
【図１０６】組み立て状態の図１０５の第２のファンアウトとファンアウトホルダとの斜視図
【図１０７】図１０６の第２のファンアウトとファンアウトホルダの後側斜視図
【図１０８】図１０６の第２のファンアウトとファンアウトホルダの上面図
【図１０９】図１０６の第２のファンアウトとファンアウトホルダの底面図
【図１１０】図１０６の第２のファンアウトとファンアウトホルダの側面図
【図１１１】図１０６の第２のファンアウトとファンアウトホルダの前面図
【図１１２】分離状態の図１０５のファンアウトホルダの前側斜視図
【図１１３】図１１２のファンアウトの後側斜視図
【図１１４】図１１２のファンアウトホルダの上面図
【図１１５】図１１２のファンアウトホルダの底面図
【図１１６】図１１２のファンアウトホルダの側面図
【図１１７】図１１２のファンアウトホルダの前面図
【図１１８】図１１２のファンアウトホルダの後面図
【図１１９】図７０のトレイなどのトレイをシャーシに取り付けるための、部分的に分解状態の別の実施の形態のスライドアセンブリを示す図
【図１１９Ａ】トレイを引き出し位置またはシャーシ内の中央位置でロックするための図１１９のスライドアセンブリのロック部の拡大図
【図１２０】内部のロック部を示すためにスライドアセンブリの中央レールのトップカバーが取り外されている状態の図１１９のスライドアセンブリの上面図
【図１２０Ａ】図１２０のスライドアセンブリの前側端部の拡大図
【図１２０Ｂ】図１２０のスライドアセンブリの後側端部の拡大図
【図１２１】トレイが前側の引き出し位置に存在するときの図１１９のスライドアセンブリを示す図
【図１２１Ａ】図１２１のスライドアセンブリの前側端部の上側拡大図
【図１２１Ｂ】図１２１のスライドアセンブリの後側端部の上側拡大図
【発明を実施するための形態】
【００１２】
以下、添付の図面に示す本開示の発明の一例の態様について説明する。可能な限り、図面には、同一または類似の部品に対して同一の符号が使用されている。
【００１３】
図１〜４８に示されている光ファイバ通信デバイスは、高密度配線ラックまたはフレームと、それらに搭載されるパネルまたはシャーシとであり、各シャーシまたはパネルは、複数のスライド可能なトレイまたはブレードを収容するように構成されている。トレイは、複数の光ファイバ接続部を支持するように構成されている。一実施の形態によれば、パネルまたはパネルを収容するラックは管理デバイスであって、コネクタが妨害されることなく正しい接続箇所（例えばアダプタ）に差し込まれていることを確認するために接続部が監視されている。パネルは、１ラックユニット（１ＲＵ）サイズや４ラックユニット（４ＲＵ）サイズであってもよい。一実施の形態によれば、１ＲＵパネルは、１４４個の組み合わせＬＣコネクタ対、７２個のＳＣコネクタ対、または４８個のＭＰＯコネクタ対を収容してもよい。４ＲＵパネルは、同一の能力を備える場合、１ＲＵユニットの４倍の接続部を収容してもよい。
【００１４】
各パネル内において、また各トレイまたはブレード内において、例えば、光ファイバコネクタを接続するために使用されるアダプタブロックアセンブリによって構成される接続箇所は、パネルの前側および後側の両方からアクセス可能であってもよい。アダプタブロックアセンブリは、スライドトレイに取り付けられてもよく、パネルの中央部に配置されてもよい。引き出しハンドルまたは引き出しアームを構成するトレイの部分を使用することにより、トレイは、アダプタブロックアセンブリの前側接続部にアクセスするために、前側にスライドしてもよい。前側コネクタに取り付けられたケーブルは、アダプタブロックアセンブリの前側へのアクセスの邪魔にならないように前側にスイングする４つのケーブル管理リンクアームによって構成されるリンクアームアセンブリを用いることによって管理されてもよい。作業者が前側コネクタにアクセスする／装着すると、上述の引き出しアームを使用することにより、トレイが中央位置に押し戻される。トレイは、トレイアセンブリの一つのエンドサポートに直接的に接続されているリンクアーム内に配置されたトーションばねとともに、作業者によってトレイが所定の位置に押し戻されるにつれて、ケーブル管理リンクアームをパネル内に引き戻す。
【００１５】
アダプタブロックアセンブリの後側にアクセスするまたは装着するために、作業者は、パネルの後側からトレイを反対側に引き出することができ、それにより後側のケーブルを管理するためにリンクアームが移動する。
【００１６】
一例の実施の形態によれば、１ＲＵパネルあたりトータル６個のトレイが設けられ、トータル６×２４＝１４４個の接続部のために、それぞれに２４個のＬＣ接続部を保持できるアダプタブロックアセンブリが収容される。一例によれば、トレイは、パネルの各サイド（すなわち第１のサイドおよび第２のサイド）に高さ方向に３個スタックされてもよい。各トレイは、前側および後側の両方で、受け入れるケーブルと出ていくケーブルとを管理するためにリンクアームを使用してもよい。リンクアームは、そのリンクアームの上側および横側の両方を介してケーブルを装着および取り外しできるように構成されている。リンクアームは、移動中のトレイの位置に関係なく、その内部のケーブルが要求された最小曲げ半径より小さくならないように構成されている。トレイアセンブリの１つのエンドサポートに直接的に取り付けられている最長のリンクアームは、多芯ファイバケーブルから複数の一芯ファイバケーブルにファイバを移行させるデバイスであるファンアウト（ｆａｎｏｕｔ）を２個保持するように構成されてもよい。
【００１７】
各トレイに対して、作業者は、トレイに設けられたスナップ係合部を介して２４ポートアダプタブロックアセンブリを取り付けてもよい。管理パネルの場合、アダプタブロックアセンブリは、それに取り付けられるプリント回路基板（ＰＣＢ）を含んでもよく、ＰＣＢは、アダプタ開口内の接点部と各コネクタのチップを介して該コネクタそれぞれに接続する。アダプタブロックアセンブリ上のＰＣＢは、トレイ上のマルチピンコネクタを介してそのトレイと接続してもよい。トレイ上のコネクタは、シャーシ内の中央ＰＣＢに至るリボンケーブルから形成されたフレキシブル回路に取り付けられてもよい。中央ＰＣＢとアダプタブロックアセンブリＰＣＢとの間のリボンケーブルを介する通信を邪魔することなくトレイが前後に移動できるように、リボンケーブルは、トレイの引き出しアームまたは引き出しハンドルによって構成されたキャビティ内でループしてもよい。中央ＰＣＢは、トレイにアクセスすべき旨を作業者に通知するために、パネルの前側と後側の両方に設けられた発光ダイオード（ＬＥＤ）の形態のインジケータを使用してもよい。中央ＰＣＢはまた、トレイアセンブリの１つのエンドサポート内に収容されたメインＰＣＢ（すなわちメインコントローラ）に接続してもよい。その接続は、シャーシのトップカバーに沿って延在してエンドサポートに至る別のリボンケーブルを介して行われる。作業者は、当該エンドサポートの前側エンドキャップを取り外すことによってメインＰＣＢまたはメインコントローラにアクセスすることができる。メインコントローラは、その反対側の後端で、カバーに沿って延在するリボンケーブルと接続するためにカードエッジ式接続部を使用してもよく、それによりメインコントローラを現場交換可能なデバイスとして扱うことができる。メインコントローラは、パネルの横の接続部（例えばＲＪ接続部）を介して高レベル管理接続ラックまたはフレームと通信するように構成されている。パネルのメインコントローラは、パネルの横の別の接続部を介して駆動されてもよい。
【００１８】
以下、上述の態様の通信デバイスについてさらに詳細に説明する。
【００１９】
図１〜図６を参照すると、その様々な図には、高密度ファイバ配線シャーシまたはパネル１０が示されている。図１の分解図において、シャーシ１０は、それに取り付けられる複数のスライド可能な光ファイバ接続トレイまたはブレード１２とともに示されている。シャーシ１０は、上方向に延在する側壁１６を備えるボトムプレート１４と、トップシャーシカバー１８と、側壁１６に固定されるように構成された一対の取り付けブラケット２０とを有する。取り付けブラケット２０は、通信ラックやフレームなどの他の構造物に対してシャーシ１０を取り付けるために使用される。上方向に延在する側壁１６を含むボトムプレート１４とトップカバー１８は、シャーシ１０内にトレイアセンブリ２４を取り付けるための固定穴２２を備える。シャーシ１０の取り付けブラケット２０はまた、シャーシ１０の側壁１６の固定穴２２に固定されている。
【００２０】
図示する実施の形態において、シャーシ１０は、標準的な１ＲＵ（ラックユニット）ピースとして構成されている。他の実施の形態において、シャーシ１０は、異なるサイズで構成されてもよい。一例の実施の形態によれば、シャーシ１０は、４ＲＵデバイスとして構成されてもよい。このようなシャーシの一例が、以下においてさらに詳細に説明されるように、通信ラック４０に取り付けられた状態で図２３〜３７に示されている。
【００２１】
上述したように、図１〜６を参照すると、各シャーシ１０はトレイアセンブリ２４を収容するように構成されている。図示する実施の形態において、トレイアセンブリ２４は、シャーシ１０の右側に配置される第１のトレイアセンブリ２４Ａと、シャーシ１０の左側に配置される第２のトレイアセンブリ２４Ｂとによって構成されてもよい。トレイアセンブリ２４それぞれは、スタックされた状態で取り付けられる複数のスライド可能なトレイ１２を含んでいてもよい。例えば、図に示すように、第１のトレイアセンブリ２４ａはスタック状態で取り付けられている３個の第１のトレイ１２ａを含んでもよく、第２のトレイアセンブリ２４ｂはスタック状態で取り付けられている３個の第２のトレイ１２ｂを含んでもよい。この場合、シャーシ１０は、トータルで６個のスライド可能なトレイ１２を収容することができる。
【００２２】
第１および第２のトレイアセンブリ２４ａ、２４ｂは概ね同様の構成であるため、説明を簡略化するために、第１のトレイアセンブリ２４ａのみを詳細に説明する。第１のトレイアセンブリ２４ａの特徴は、説明する違いを除いて、第２のトレイアセンブル２４ｂにも完全にあてはまる。また、図面において、図を簡略化するために、１つの第１のトレイ１２ａと１つの第２のトレイ１２ｂのみが示されている。したがって、本開示において、１つの第１のトレイ１２ａのみが図示されて詳細に説明される。第１のトレイ１２ａの特徴は、ともにストック状態で取り付けられている他の第１のトレイ１２ａまたはシャーシ１０の左側に取り付けられている他の第２のトレイ１２ｂにも完全にあてはまる。
【００２３】
図３および図４を参照すると、第１および第２のトレイアセンブリ２４ａ、２４ｂは、図１および図２のシャーシ１０の外側に示されている。図３の分解図において、具体的には、第１および第２のトレイアセンブリ２４ａ、２４ｂは互いに離れた状態である。上述したようにまた以下で詳細に説明するように、２つのトレイアセンブリ２４は、ともに搭載されたとき、それらの間で中央ＰＣＢ２８を保持する。中央ＰＣＢ２８は、トレイ１２にアクセスすべき旨を技術者に対して通知するために、シャーシ１０の前側３２と後側３４の両方にＬＥＤ３０の形態のインジケータを含んでもよい。以下で詳細に説明するように、第１のトレイアセンブリ２４ａと第２のトレイアセンブリ２４ｂの両方の全てのトレイ１２は、中央ＰＣＢ２８に対して電気的に接続する。そして、中央ＰＣＢ２８はシャーシ１０のメインＰＣＢまたはメインコントローラ３６に電気的に接続され、シャーシ１０のメインＰＣＢ３６は高レベル管理接続ラックまたはフレーム４０と通信するように構成されている。
【００２４】
図５を参照すると、第１のトレイアセンブリの異なる部分が分解状態で示されている。第１のトレイアセンブリは、中央ＰＣＢ１８、取り付けプレート３８、取り付けブロック４２、第１のトレイ１２ａ、エンドサポート４４、およびエンドサポート４４に取り付けられたメインＰＣＢ３６を含んでいる。上述したようにまた以下で詳細に説明するように、リボンケーブル４６の形態のフレキシブル回路によって中央ＰＣＢ２８とトレイ１２上のＰＣＢ４８とが電気的に接続され、別のリボンケーブル５０によって中央ＰＣＢ２８とシャーシ１０のメインＰＣＢまたはメインコントローラ３６とが接続されている。リボンケーブル５０は、シャーシ１０のトップカバー１０に沿って延在するように構成され、また中央ＰＣＢ２８を介して、第１および第２のトレイアセンブリ２４ａ、２４ｂの両方をメインＰＣＢ３６に接続することができる。
【００２５】
第２のトレイアセンブリ２４ｂの取り付けプレート３８とともに、第１のトレイアセンブリ２４ａの取り付けプレート３８は、中央ＰＣＢ２８を保持するように構成され、中央ＰＣＢ２８とトレイアセンブリ２４の取り付けブロック４２とをシャーシ１０に取り付けるように構成されている。取り付けプレート３８はタブ５２を備え、タブ５２は、中央ＰＣＢ２８をシャーシ１０のボトムプレー１４とトップカバー１８とに取り付けるために、中央ＰＣＢ１８の固定穴５６に位置合わせされる固定穴５４を備える。取り付けプレート３８はまた、取り付けブロック４２が取り付けられるためにまたそのブロック４２をシャーシ１０に固定するために、その側壁に固定穴５８を備える。
【００２６】
さらに詳細に説明するように、各トレイ１２は、トレイアセンブリ２４の取り付けブロック４２とエンドサポート４４との間にスライド可能に保持されるように構成されている。第１のトレイアセンブリ２４ａの場合、例えば、エンドサポート４４は、メインＰＣＢ３６を対向するように保持しながら、シャーシ１０の右側側壁１６に取り付けられるための固定穴６０を備える。エンドサポート４４は、メインＰＣＢ３６を収容するための溝６２を備える。図２に示すように、メインＰＣＢ３６は、エンドサポート４４の溝６２内にスライド可能に設けられてもよい。作業者は、エンドサポート４４の前側エンドキャップ６４を取り外すことによってメインＰＣＢ３６にアクセス可能である。メインコントローラ３６は、その反対側の後端で、シャーシのトップカバー１８に沿って延在するリボンケーブル５０と接続するために、カードエッジ式接続部を使用してもよい。それによりメインコントローラ３６を現場交換可能なデバイスとして扱うことができる。サイドキャップ６８は、エンドサポート４４の後端で、カードエッジ式コネクタ６６を覆うために使用されている。図示する実施の形態のシャーシ１０において、トレイアセンブリ２４の両方が中央ＰＣＢ２８を介して接続されているので、第１のトレイアセンブリ２４ａのエンドサポート４４のみがメインコントローラ３６を支持するための溝６２を備えており、第２のトレイアセンブリ２４ｂのエンドサポート４４がメインコントローラまたはメインＰＣＢ３６を収容するものとして示されていないことに留意すべきである。このような構成は、所定のラック４０内におけるシャーシ１０の姿勢によって変更されてもよい。
【００２７】
図５および図８〜図１４を参照すると、各トレイアセンブリ２４のトレイ１２それぞれは、メイン接続部７０と、中央取り付け部７２と、サイド取り付け部７４と、ケーブル管理部７６とを備える。トレイ１２の中央取り付け部７２は、シャーシ１０の概ね中央に配置された取り付けブロック４２とスライド可能に連結するように構成されている。トレイ１２のサイド取り付け部７４は、シャーシ１０の一方のサイドに対して概ね近傍に配置されたトレイアセンブリ２４のエンドサポート４４にスライド可能に連結するように構成されている。
【００２８】
取り付けブロック４２とエンドサポート４４の両方は、スタック状態で設けられた長手方向に延在する複数の溝を含んでいる。取り付けブロック４２の溝７８は、各トレイ１２の中央取り付け部７２をスライド可能に受け入れるように構成されている。エンドサポート４４の溝８０は、各トレイ１２のサイド取り付け部７４を受け入れるように構成されている。
【００２９】
トレイ１２のサイド取り付け部７４とエンドサポート４４の溝８０との間の相互作用について言及すると、サイド取り付け部７４とエンドサポート４４の溝８０は、スライド移動を可能とするためにまた横方向の分離を抑制するために、ぴったりと係合するように構成されている。
【００３０】
トレイ１２の中央取り付け部７２と中央取り付けブロック４２の溝７８との間の相互作用について言及すると、中央取り付け部７２は、中央取り付け部７２の前側端と後側端との両方に引き出しハンドルまたは引き出しアーム８２を備えていてもよい。引き出しハンドル８２を用いることにより、トレイ１２内の前側接続部にアクセスするために前方向に、またはトレイ１２内の後側接続部にアクセスするために後方向に、トレイ１２をスライドさせることができる。
【００３１】
図１３に詳細に示すように、トレイ１２の中央取り付け部７２の上側８４および底側８６の両方は、長手方向の軌道８８を備える。軌道８８は、トレイ１２をスライド可能にガイドするために、取り付けブロック４２の溝７８内に設けられたガイド９０を受け入れる。ガイド９０は、取り付けブロック４２の溝７８の前側９２および後側９４に隣接するように配置されている。
【００３２】
取り付けブロック４２の溝７８内において、チャンネル７８それぞれを画定する上側壁９８と底側壁１００との両方にフレキシブルタブ９６が設けられている。タブ９６はトレイ１２の中央取り付け部７２の軌道８８内に設けられた凹部１０２と協働し、これによりトレイ１２を仮的に止めることができる。この方法の場合、トレイ１２は、前側に引き出されたときまたは後側に引き出されたとき、シャーシ１０内の中央位置などの別々の断続的な位置で止まってもよい。
【００３３】
さらに、溝７８それぞれおよびトレイ１２それぞれの中央取り付け部７２はまた、トレイ１２が前側または後側に完全に引き出されたときにトレイ１２が外れることを防止するために、ポジティブストッパ（ｐｏｓｉｔｉｖｅ  ｓｔｏｐ）を備える。ポジティブストッパは、溝７８の前側端９２に隣接するストッパ面１０４と溝７８の後側端９４に隣接するストッパ面１０４とによって構成されている。ストッパ表面１０４は、図１５に示すように、溝７８内の上側および底側の長手方向のくぼみ１０６の端に設けられている。トレイ１２と取り付けブロック４２との間のポジティブストッパの他の部分は、トレイ１２に設けられている。図１３〜図１６に示すように、各トレイ１２の中央取り付け部７２は、中央取り付け部７２の前側端１１０に隣接するストッパタブ１０８と、中央取り付け部７２の後側端１１２に隣接するストッパタブ１０８とを備える。前側端１１０のストッパタブ１０８は中央取り付け部７２の上側８４から外方向に延在し、後側端１１２のストッパタブ１０８は中央取り付け部７２の底側８６から外方向に延在している。
【００３４】
図１５に示すように、取り付けブロック４２の溝７８の前側９２に隣接するストッパ表面１０４は溝７８の底壁１００に向かって設けられ、取り付けブロック４２の溝７８の後側９４に隣接するストッパ表面１０４は、溝７８の上壁９８に向かって設けられている。したがって、トレイ１２が前方向に完全に引き出されたとき、後側のストッパタブ１０８（底側８６に設けられている）が溝７８内の前側ストッパ表面１０４に接触する。トレイ１２が後方向に完全に引き出されたとき、前側のストッパタブ１０８（上側８４に設けられている）が溝７８内の後側ストッパ表面１０４に接触する。上述したように、中央取り付け部７２の上側および底側のストッパタブ１０８は、通常、それぞれの端のストッパ表面１０４と接触するまで、各溝７８内の上側および底側の長手方向のくぼみ１０６によって収容されている。
【００３５】
トレイ１２のメイン接続部７０は、中央取り付け部７２とサイド取り付け部７４との間に設けられ、トレイ１２の接続箇所１１４を構成するように構成されている。配線シャーシ１０上に複数のトレイ１２をスタックすることにより、光ファイバ伝送に関する接続密度が増加し、また前方向または後方向いずれかのトレイ１２のスライド機能によって配線シャーシ１０の前側または後側の両方でアクセスが容易になる。
【００３６】
図８〜図９に示すように、図示するバージョンのトレイ１２のメイン接続部７０は、本実施の形態のトレイ１２において光ファイバ接続箇所１１４を構成する光ファイバアダプタ１１８を取り付けるためのマウント１１６を含んでいる。具体的には、本出願で示すおよび説明するトレイ１２において、光ファイバ接続箇所１１４は、ＬＣタイプのフットプリントを備えるアダプタ１１８によって構成されている。図示する実施の形態において、２４個のＬＣアダプタ１１８が、マウント１１６上に形成されているスナップ係合接続部を介して、マウント１１６に取り付けられる。本開示に示される高密度配線シャーシ１０において、６個のスライド可能なトレイ１２が、上述したように１４４個のＬＣ接続部を提供する１ＲＵのラックスペースに取り付けられてもよい。
【００３７】
上述したように、他の標準的な光ファイバアダプタ１１８（ＳＣアダプタまたはＭＰＯアダプタなど）も、マウント１１６に取り付けることができる。光ファイバアダプタ１１８はトレイ１２の接続箇所１１４を提供するたった一種類の光ファイバ部品であり、トレイ１２は他の種類の光ファイバ部品に使用されてもよい。例えば、光ファイバ分配器、カプラ、マルチプレクサ／デマルチプレクサ、またはケーブルが接続箇所１１４から離れるように配線することができる他の種類の部品などの部品が、メイン接続部７０に設けられてもよい。
【００３８】
光ファイバアダプタ１１８が使用される場合、接続箇所１１４は、マウント１１６に個々に取り付けられたアダプタ１１８によって構成されてもよく、または図示する実施の形態に示すように、ブロック状に複数のアダプタ１１８が一体化されているアダプタブロックアセンブリ１２０によって構成されてもよい。他の実施の形態において、接続箇所１１４は、複数の光ファイバアダプタ１１８を一方側に備え、他方側にマルチファイバコネクタまたは外側に向かって延在するケーブルを備え、且つ内部に光ファイバが収容されているカセット状であってもよい。
【００３９】
アダプタブロックアセンブリ１２０またはカセットなどの接続箇所を備える一例のデバイスが、代理人整理番号がＮｏ.０２３１６．３６２５ＵＳＰ１、０２３１６．３６２７ＵＳＰ１、および０２３１６．３６３１ＵＳＰ１であって、タイトルが”Ｏｐｔｉｃａｌ  Ａｓｓｅｍｂｌｉｅｓ  ｗｉｔｈ  Ｍａｎａｇｅｄ  Ｃｏｎｎｅｃｔｉｖｉｔｙ”である２０１３年２月５日出願の米国特許出願と、代理人整理番号がＮｏ.０２３１６．３６２５ＵＳＰ２、０２３１６．３６２７ＵＳＰ２、および０２３１６．３６３１ＵＳＰ２であって、タイトルが”Ｏｐｔｉｃａｌ  Ａｓｓｅｍｂｌｉｅｓ  ｗｉｔｈ  Ｍａｎａｇｅｄ  Ｃｏｎｎｅｃｔｉｖｉｔｙ”である２０１３年７月８日出願の米国出願とに、詳細に図示され説明されている。これらの出願は、その全体が参照として本明細書に組み込まれている。
【００４０】
上述したように、シャーシまたはパネルは、１ラックユニット（１ＲＵ）サイズや４ラックユニット（４ＲＵ）サイズであってもよい。１ＲＵパネルは、１４４個の組み合わせＬＣコネクタ対（図示するように）、７２個のＳＣコネクタ対、または４８個のＭＰＯコネクタ対を収容してもよい。４ＲＵパネルは、同一の能力を備える場合、１ＲＵユニットの４倍の接続部を収容してもよい。
【００４１】
各パネル１０内において、また各トレイ１２内において、接続箇所１１４は、パネル１０の前側および後側の両方からアクセス可能であってもよい。例えば、図に示すように、アダプタブロックアセンブリ１２０は、スライドトレイ１２に搭載され、それにより、パネル１０の中央に配置されてもよい。上述したように引き出しハンドルまたは引き出しアーム８２を用いることにより、アダプタブロックアセンブリ１２０の前側接続部または後側接続部にアクセスするために、トレイ１２を前方向にまたは後方向にスライドさせることができる。
【００４２】
トレイ１２に取り付けられているアダプタブロックアセンブリ１２０の前側端および後側端から延在する高密度のケーブルを管理する場合、ケーブルの管理は、高密度配線パネルまたはフレームの重要な態様である。
【００４３】
上述したように、ケーブル１２２がアダプタ１１８の前側ポートおよび後側ポートの両方から延在している場合、各トレイ１２は、接続箇所１１４からのケーブル１２２をシャーシ１０に向かうまたは離れるように管理するためのケーブル管理部７６を含むように構成されている。トレイ１２のケーブル管理部７６は、トレイ１２が前方向および後方向にスライド移動する間、ケーブル１１２の要求される最小曲げ半径を維持しつつ、ケーブル１１２のたるみを調節するように構成されている。また、トレイ１２のケーブル管理部７６は、接続箇所１１４からシャーシ１０の外部までのケーブル長さを一定に維持するように構成され、それにより、ケーブル１２２の引っ張りや挟み込みを抑制するとともに、過剰なケーブルのたるみを制限している。
【００４４】
各トレイ１２のケーブル管理部７６は、前側ケーブル管理部７６ａと後側ケーブル管理部７６ｂとによって構成されてもよい。前側および後側ケーブル管理部７６ａ、７６ｂは同様の構成であるため、説明の簡略化のためにここからは前側ケーブル管理部７６ａのみを説明するが、所定のトレイ１２の前側ケーブル管理部７６ａの独創的な特徴の全ては、後側ケーブル管理部７６ｂにも完全にあてはまることに留意すべきである。
【００４５】
図１３および図１８〜図２２を参照すると、前側ケーブル管理部７６ａは、トレイ１２のサイド取り付け部７４に隣接するように配置された範囲リミッタ（ｒａｄｉｕｓ  ｌｉｍｉｔｅｒ）１２４と、範囲リミッタ１２４とトレイアセンブリ２４のエンドサポート４４の前側との間に取り付けられた４つのケーブル管理リンクアーム１２８から構成されるリンクアームアセンブリ１２６とによって構成されている。
【００４６】
リンクアーム１２８は、トレイ１２が前側に引き出されるときにアダプタブロックアセンブリ１２０の前側へのアクセスの邪魔にならないように、前方向にスイングするように構成されている。作業者が前側コネクタにアクセスするおよび／または装着すると、上述の引き出しアーム８２を用いることにより、トレイ１２は、元のクローズ位置に押し戻される。
【００４７】
リンクアーム１２８は、互いに対して旋回可能に連結された４つのリンクアームによって構成され、それによりそれらの間の旋回挙動の限界が定義されている。４つのリンクアームには、ヒンジアセンブリ１３０を介してトレイアセンブリ２４のエンドサポート４４の前側に旋回可能に且つ直接的に連結されている第１のリンクアーム１２８ａが含まれている。ヒンジアセンブリ１３０は、旋回可能に連結するために、エンドサポート４４と第１のリンクアーム１２８ａの両方の貫通穴１３４に挿入されるヒンジピン１３２を備える。図１８および図１９に示すように、ヒンジアセンブリ１３０はまた、一方の端がエンドサポート４４前側の長穴１３８に挿入され、他方の端（垂直）が第１のリンクアーム１２８ａに設けられたポケット１４０に挿入されたトーションばね１３６を備える。トーションばね１３６は、リンクアームアセンブリ１２６を元のクローズ位置に向かって付勢するように構成されている。トーションばね１３６は、トレイ１２が前方向または後方向に引き出されているに関係なく、作業者がトレイ１２を所定の位置に押し戻すにつれて、ケーブル管理リンクアーム１２８をパネル１０内に押し戻す。同様のトーションばねが、トレイ１２の後側ケーブル管理部７６ｂに設けられており、トレイ１２をクローズ位置に向かって付勢している状態の前側ケーブル管理部７６ａのトーションばね１３６をアシストしている。
【００４８】
図示する実施の形態において、トレイ１２のケーブル管理部７６は、ケーブルを上側および横側から装着するように構成されている。図１３、図２０、および図２１に示すように、範囲リミッタ１２４は、概ね曲線状のケーブル溝１４２と、内側に向かって延在して内部のケーブル１２２を保持するケーブル管理爪１４４とを備える。この例の場合、ケーブル１２２は、接続箇所１１４から延在しているので、範囲リミッタ１２４に上側から装着される。
【００４９】
第１のリンクアーム１２８ａは、エンドサポート４４に旋回可能に接続され、それにより、トレイ１２がクローズしているときの横方向の姿勢と、図２２に示すようにトレイ１２を完全にオープンであるときの縦方向の姿勢との間で動くことができる。第１のリンクアーム１２８ａに形成されている接触面１４６が、エンドサポート４４に対する第１のリンクアーム１２８ａのさらなる移動を防止している。リンクアームアセンブリ１２６の残りの３個のリンクアーム１２８ｂは、互いに同一の形状を備えるように構成されている。３個の同様のリンクアーム１２８ｂそれぞれは、第１のリンクアーム１２８ａからトレイ１２の範囲リミッタ１２４まで連続して連結している。リンクアーム１２８ｂは、例えば、旋回挙動を実現するために、第１のオス側端１５０上の円柱状タブ１４８と第２のメス側端１５４上の円筒状穴１５２とによって構成されるスナップ係合式の連結部を備える。リンクアーム１２８ｂそれぞれは、第１のリンクアーム１２８ａのように、接触面１５６を備え、それにより互いに対して旋回挙動が制限されている。例えば、第１のリンクアーム１２８ａに直接連結されているリンクアーム１２８ｂは、トレイ１２が完全にオープンであるときに、それに対してさらなる旋回挙動を防止するための接触面１５６を備えている。第１のリンクアーム１２８ａを含むリンクアーム１２８それぞれは、移動中のトレイ１２の位置に関係なく、それに収容されているケーブル１２２が要求される最小曲げ半径より小さくならないように構成されている。
【００５０】
一例の実施の形態によれば、図２０および図２１に示すように、リンクアーム１２８は、上側および横側からケーブル１２２が装着されるように構成されてもよく、ケーブル管理タブ１５８は、周辺縁１６０に配置されてもよい。リンクアーム１２８に関しては、別の構成も可能である。
【００５１】
トレイアセンブリ２４の一方のエンドサポート４４に直接取り付けられている第１のリンクアーム１２８ａは、多芯ファイバケーブルから複数の一芯ファイバケーブル１２２にファイバを移行させるデバイスであるファンアウト（ｆａｎｏｕｔｓ）などの構造を保持するように構成されてもよい。
【００５２】
一例のケーブル経路構成が、図２０〜図２２に示されている。ケーブル１２２は、前側および後側の接続箇所１１４から出て、範囲リミッタ１２４を通過るとともに同様の３つのリンクアーム１２８ｂそれぞれを通過し、最終的には、シャーシ１０の外側に出る前に第１のリンクアーム１２８ａを通過する。上述したように、前側リンクアームアセンブリ１２６ａと後側リンクアームアセンブリ１２６ｂは同時に一緒に移動するように構成され、それにより、トレイ１２がいずれかの方向に引き出されるにつれてケーブルのたるみを管理する。
【００５３】
図８、図１３、図１８、図２０、および図２１を参照すると、トレイ１２のケーブル管理部７６は、中央取り付け部７２と範囲リミッタ１２４との間を延在するケーブルリテイナ５を含んでもよい。ケーブルリテイナ５は、その第１の端６で、中央取り付け部７２とケーブルリテイナ５の第１の端の両方によって構成されたヒンジアセンブリ７を介して、トレイアセンブリ２４の中央取り付け部７２に旋回可能に連結されている。ケーブルリテイナ５は、第２の端９にスナップ係合タブ８を備えており、タブ８は範囲リミッタ１２４に隣接するように設けられた受け部３に挿入されるように構成されている。それにより、ケーブルリテイナ５は、スナップ係合によってクローズ位置または旋回下位位置（ｐｉｖｏｔｅｄ−ｄｏｗｎ  ｐｏｓｉｔｉｏｎ）でインターロックされる。ケーブルリテイナ５は、旋回下位位置のとき、接続箇所１１４から延在するケーブルを保持するように構成されている。ケーブルリテイナは、作業者による接続箇所１１４へのアクセスの邪魔をしないように、上方向に旋回することができる。
【００５４】
図７〜図１２を参照すると、上述したように、いくつかの態様にしたがって、アダプタブロックアセンブリ１２０の形態でトレイ１２に取り付けられるいくつかの種類のアダプタ１１８は、１つまたはそれ以上の光ファイバコネクタから物理層情報を集めるように構成されてもよい。例えば、アダプタブロックアセンブリ１２０のいくつかの種類のアダプタ１１８は、光ファイバコネクタに接触するメモリと通信するように構成された１つまたはそれ以上のメディア読み出しインターフェースを保持するように構成されている本体を含んでいてもよい。１つまたはそれ以上のメディア読み出しインターフェースが、アダプタ本体内に配置されてもよい。ある実施において、アダプタ本体は、アダプタ本体の外部とコネクタのフェルールが収容される内部通路との間を延在するスロットを備えてもよい。
【００５５】
いくつかの種類のメディア読み出しインターフェースは、スロット内に位置する１つまたはそれ以上の接点部材を含んでいてもよい。各接点部材の一部が、光ファイバと接触するメモリと通信するための複数の通路それぞれの内部に向かって延在してもよい。各接点部材の別の部分が、スロットの外部に延在してアダプタブロックアセンブリ１２０に配置された回路基板に接触されてもよい。上述したように、トレイ１２の一部とシャーシ１０は、アダプタ１１８のメディア読み出しインターフェースと、シャーシ１０を収容しているラック４０のコントローラと通信するシャーシ１０のメインコントローラまたはメインＰＣＢ３６とを接続するように構成された導電性パスを備えてもよい。
【００５６】
シャーシ１０のメインコントローラ３６またはラック４０のコントローラは、メディア読み出しインターフェースによって得られた物理層情報を管理するように構成された処理ユニットを含んでもよい、または処理ユニットに接続（例えばネットワーク上で）されてもよい。
【００５７】
図示する一例の実施の形態によれば、各トレイ１２に対して、作業者がトレイ１２上のスナップ部を介して２４ポートのアダプタブロックアセンブリ１２０を取り付けると、アダプタブロックアセンブリ１２０が、上述したようにネットワークに接続してもよい。このような管理パネル１０の場合、例えば、アダプタブロックアセンブリ１２０のプリント回路基板が、図７、図８、および図１０に示すように、トレイ１２上のマルチピンコネクタ１６２を用いることにより、トレイ１２に接続してもよい。トレイ１２上のマルチピンコネクタ１６２は、パネル１０内の中央ＰＣＢ２８に至るリボンケーブル４６によって形成されたフレキシブル回路に取り付けられてもよい。図に示すように、マルチピンコネクタ１６２からリボンケーブル４６までの導電性パスは、トレイ１２の中央仕切り部１６４に配置されたプリント回路基板４８と、トレイ１２のメイン接続部７０の後側１６６に沿って横方向に配置されたフレキシブルリボンケーブル４６の一部分４５とによって提供されている。プリント回路基板４８とリボンケーブル４６の横方向部分４５は、好ましくは、中央仕切り１６４とトレイ１２のメイン接続部７０の後側１６６とに設けられた凹部１６８内に、同一平面に取り付けられる。
【００５８】
垂直方向に設けられているリボンケーブル４６の部分４７は、図１０〜図１２に示すように、トレイ１２の中央取り付け部７２によって形成されているキャビティ１７０内でループしてもよい。リボンケーブル４６の垂直部分４７は、キャビティ１７０内を移動するように構成されており、それにより、メインＰＣＢ２８とトレイＰＣＢ４８との間のリボンケーブル４６を介する通信を邪魔することなく、トレイ１２を出し入れすることができる。リボンケーブル４６の一端１７２は、トレイ１２の中央取り付け部７２の左側壁１７６上のスロット１７４を通過するように延在し、中央ＰＣＢ２８に接続する。別のスロット１７８がトレイ１２の中央取り付け部７２の右側壁１８０に設けられており、それにより、リボンケーブル４６の一部分がキャビティ１７０の内部からトレイ１２のメイン接続部７０に向かって延在することができる。リボンケーブル４６は、ねじれることによって垂直方向の姿勢から横方向の姿勢に移行している。
【００５９】
リボンケーブル１４６の一端１７２は、トレイの中央取り付け部７２の左側壁のスロット１７４を通過した後、中央ＰＣＢ２８上のコネクタ１７９と接続する前に、取り付けブロック４２のスロット１７５と続く取り付けプレート３８のスロット１７７とを通過するように延在する。
【００６０】
上述したように、中央ＰＣＢ２８は、トレイ１２にアクセスすべき旨を作業者に通知するために、パネル１０の前側３２および後側３４の両方に設けられたＬＥＤ３０などのインジケータを使用してもよい。中央ＰＣＢ２８は、トレイアセンブリ２４のエンドサポート４４内に収容されている、シャーシ１０のメインＰＣＢまたはメインコントローラ３６に接続してもよい。この接続は、パネル１０のトップカバー１８に沿って延在してエンドサポート４４に向かう別のリボンケーブル５０を介して行われる。リボンケーブル５０は、溝６２の後側に配置されたカードエッジ式コネクタ６６に向かって延在するように構成されている。作業者は、メインコントローラ３６に、エンドサポート４４の前側エンドキャップ６４を取り外すことによってアクセスすることができる。メインコントローラ３６は、その反対側の後端で、トップカバー１８に沿って延在するリボンケーブル５０と接続するために、コネクタ６６を備えるカードエッジ式接続部を用いてもよく、それにより、メインコントローラ３６を現場交換可能なデバイスとして扱うことができる。メインコントローラ３６は、高レベル管理接続ラックまたはフレーム４０と、パネル１０の横の接続部を介して通信するように構成されている。パネル１０の横の別の接続部を介して、パネル１０のメインコントローラ３６は駆動されてもよい。
【００６１】
図２３〜図３１を参照すると、３つの別例の管理接続ラックまたはフレーム４０が示されている。図示する一例の形態のラック４０において、ラック４０は、４ＲＵサイズのシャーシ１０１０を収容するように構成されている。４ＲＵシャーシ１０１０のメインコントローラまたはメインＰＣＢは、２４個のトレイ１２と通信するように構成され、また６個のトレイ１２と通信するように構成された１ＲＵシャーシ１０（図１〜図２２）について説明された位置とは異なる位置に設けられてもよい。１ＲＵシャーシ１０において、各シャーシ１０は、シャーシ１０のエンドサポート４４に埋め込まれたメインコントローラ３６を備えるものとして示されている。一例によれば、４ＲＵシャーシ１０１０の場合、メインコントローラは、図４９〜図６１を参照しながら詳細に説明されるように、１ＲＵバージョンのシャーシ１０と同様に、トレイアセンブリのエンドサポートに設けられた溝内に配置されてもよい。シャーシのメインコントローラの位置は、他の位置でも可能である。
【００６２】
さらに図２３〜図３１を参照すると、管理接続ラック４０は、ラック４０内に取り付けられた各シャーシ１０１０と通信するラックコントローラ４１を含むように構成されている。３つの別例のラック４０は、ラックコントローラ４１からラック４０内に取り付けられた個々のシャーシ１０１０に至るケーブル２２２の異なる配線を示している。
【００６３】
ラックコントローラ４１から個々のシャーシ１０１０に至るケーブル２２２の配線を除いて、図示する全てのバージョンのラック４０は、いくつかの類似の特徴を共有している。このような特徴は１つのバージョンを参照しながら説明され、その特徴が他のバージョンにも完全にあてはまる。
【００６４】
図２３〜図２５を参照すると、図１の１ＲＵシャーシ１０の特徴と同様の特徴を備える複数の４ＲＵシャーシ１０１０を収容する、第１の実施の形態の管理接続ラック４０ａが示されている。上述するように、第１の実施の形態のラック４０ａは、他の２つのバージョンとともに、いくつかの特徴を共有する。図２４において、ラック４０ａはシャーシ１０１０が取り付けられていない状態で示され、図２５においては、ラック４０ａは、ラックコントローラ４１からラック４０ａ内に取り付けられた個々のシャーシ１０１０に至るケーブル経路を示すために、複数のケーブル管理部が取り外された状態で示されている。
【００６５】
さらに、図２３〜図２５を参照すると、前側２３０に、ラック４０ａは、ラック４０ａの後側２３６の横方向トラフ２３４に連絡する前後方向トラフ２３２を備えている。ケーブルループ２３８がラック４０ａの右側２４０および左側２４２に隣接して設けられている。ケーブルループ２３８は、シャーシ４０ａの右側２４０および左側２４２に形成されている右前側および左前側垂直ケーブル溝２４４、２４６内に配置されている。図示する実施の形態において、ラック４０ａはまた、ラック４０ａの左側２４２にケーブルたるみ管理スプール２４９を備えている。スプール２４９は、ラック４０ａの前側２３０で、ラック４０ａの左側２４２の柱に沿ってスタック状態で設けられている。
【００６６】
ラック４０ａの後側２３６で、ラック４０ａは、ラック４０ａの右側２４０および左側２４２でラック４０ａの高さ方向に延在する垂直ケーブルガイドまたは溝２４８、２５０を備える。同様のラック４０ｄの背面図である図３２および図３４を参照すると、横断フレームトラフ２５２が、シャーシまたはパネル１０１０それぞれに対して設けられ、右側２４０および左側２４２の垂直ケーブルガイド２４８、２５０に接続している。トランペットフレア２５４形態の範囲リミッタが、横断フレーム２５２の左側端に設けられている。第２のトランペットフレア２５６が、ラック４０ａの左側２４２の第１のトランペットフレア２５３４の下方に設けられている。ラック４０ａの右側２４０で、複数の範囲リミッタ２５８（例えば、スプール）が、右側垂直ケーブルガイドまたは溝２４８内に配置されている。さらに図２３〜図２５を参照すると、ラック４０ａはまた、ラック４０ａの右側２４０と左側２４２との間を延在する後側横方向トラフ２３４を備えている。ラック４０ａの右側２４０および左側２４２それぞれに設けられた前後方向トラフ２３２は、ラック４０ａの前側２３０と後側２３６との間に、ケーブル１２２の経路を提供する。
【００６７】
個々のシャーシ１０１０のトレイ１２の前側接続箇所１１４と後側接続箇所１１４から延在するケーブル１２２のためのラック４０ａ内のケーブル配線は、２０１２年１０月５日に出願され、その内容が全体として本明細書に組み込まれている米国出願１３／６４５７５６号および１３／６４５７７１号に記載されている一例の配線と構造的に類似している。
【００６８】
図２６〜図３１に示すラック４０は、図２３〜図２５に示すラック４０ａと構造や配線構成についてほぼ同一である。
【００６９】
上述したように、図２３〜図３１に示す３つの異なるバージョンのラックすべては、ラック４０に取り付けられた個々のシャーシ１０１０と通信するように構成されたコントローラ４１を含んでいる。
【００７０】
図示する実施の形態のラック４０において、ラック４０は、６個の４ＲＵシャーシ１０１０を保持するように構成されている。このような実施の形態において、フレームコントローラ４１は、８ポートイーサネット（登録商標）スイッチを含んでいてもよく、その１つが、４ＲＵシャーシのメインコントローラからのデータをインフラストラクチャー構成マネージャ（ＩＣＭ）に送信するために使用されてもよい。ローカルマイクロプロセッサが、イーサネット（登録商標）スイッチのアドレス変換ユニットへのアクセスを許可するそのイーサネット（登録商標）スイッチに取り付けられ、特定のポート（例えば、６個のシャーシ１０１０の管理を可能する６個の異なるポート）によってフレーム４０に接続されている４ＲＵシャーシそれぞれのメインコントローラのメディアアクセスコントロールアドレスを検索してもよい。各スイッチポートが、フレーム４０の特定の位置に関連してもよい。メディアアクセスコントロールアドレスと関連するイーサネット（登録商標）スイッチポートデータが、インフラストラクチャー構成マネージャに送信され、そのインフラストストラクチャ構成マネージャが、それぞれの４ＲＵシャーシのメインコントローラが導入されているフレームと、フレーム４０内におけるそれぞれの４ＲＵメインコントローラの位置との判定にデータを使用してもよい。補助的なイーサネット（登録商標）ポートが、それぞれの４ＲＵシャーシのメインコントローラまたはラックコントローラ４１に対してローカルアクセスするために設けられてもよい。パワーオーバーイーサネット（登録商標）を動力源とするＷｉ−Ｆｉアクセスポイントが、モバイルデバイスがそれぞれの４ＲＵシャーシのメインコントローラまたはフレームコントローラ４１に接続できるように、選択的に追加されてもよい。ラック４０の管理接続やそれに取り付けられているシャーシ１０／１０１０のさらなる態様は、アダプタブロックアセンブリ１１８またはカセットなどの接続箇所を備える一例のデバイスにおいて説明される。その一例のデバイスは、２０１３年２月５日に出願され、その内容が全体として本明細書に組み込まれ、発明の名称が”Ｓｙｓｔｅｍ  ａｎｄ  Ｍｅｔｈｏｄｓ  ｆｏｒ  Ａｓｓｏｃｉａｔｉｎｇ  Ｌｏｃａｔｉｏｎ  Ｉｎｆｏｒｍａｔｉｏｎ  ｗｉｒｈ  ａ  Ｃｏｍｍｕｎｉｃａｔｉｏｎ  Ｓｕｂ−ａｓｓｅｍｂｌｙ  Ｈｏｕｓｅｄ  ｗｉｔｈｉｎ  ａ  Ｃｏｍｍｕｎｉｃａｔｉｏｎ  Ａｓｓｅｍｂｌｙ”である米国特許出願第６１／７６０８１６号（代理人整理番号Ｎｏ．１００．１２６０ＵＳＰＲ）にて詳細に説明されている。
【００７１】
ラック４０のコントローラ４１のイーサネット（登録商標）ポートから個々の４ＲＵシャーシ１０１０に至るケーブル２２２の配線に関して、図２３〜図２５に示すラック４０ａにおいては、ラック４０ａは、開口２６２を備える１つの垂直ブラケット２６０を備える。開口２６２は、そこを延在するケーブル２２２のブレイクアウトポイント２２３を可能にする。垂直ブラケット２６０は、右側垂直フレーム部材２６４に取り付けられ、図２５に詳細に示すように、コントローラ４１から延在するケーブル２２２を収容するように構成されている。ラック４０ａは、ケーブル経路を示すために、複数のケーブル管理要素が省略された状態で示されている。垂直ブラケット２６０は、ラック４０ａの右側垂直フレーム部材２６４に固定するために、複数の取り付けフランジ２６６を備える。
【００７２】
図２６〜図２８に示す第２のバージョンのラック４０ｂにおいて、ラック４０ｂは、ラック４０ｂの右側垂直フレーム部材２６４に取り付けられたケーブル管理タブ２６９を備える複数の個別のブラケット２６８を備える。ブラケット２６８は、ブラケット２６８の上側または底側のいずれかでケーブルブレークアウト２２３を提供するように構成されている。ブラケット２６８は、４ＲＵシャーシ１０１０それぞれのメインコントローラの位置に基づいて配置されている。
【００７３】
図２９〜図３１に示す第３のバージョンのラック４０ｃにおいて、ラック４０ｃは、ラック４０ｃの右側垂直フレーム部材２６４と左側垂直フレーム部材２７４との間を延在する横断フレーム部材２７２に取り付けられるように構成された複数のクリップ２７０を含んでもよい。一実施の形態によれば、クリップ２７０は、接着によって取り付けられてもよい。クリップ２７０によってまとめられたケーブル２２２は、所望の位置でブレイクアウトする。
【００７４】
このようなバージョンのラック４０ｃにおいて、ラック４０ｃは前もって変更される必要がなく（例えば、垂直フレーム部材２６４／２７４に取り付け穴が必要とされるなど）、したがって、コントローラ４１から個々のシャーシ１０１０に至るケーブル２２２の配線は、組み付け配置として特徴付けられる。
【００７５】
図３２〜図３７を参照すると、外装ケーブルを接地するために設けられたバスバー２８０を含む図２３〜図３１に示すものと同様の一実施の形態のラック４０ｄが示されている。さらなる配線のために中央オフィスからラック４０内に至るケーブル（例えばＩＦＣケーブル）に、ケーブル束を囲む接地シールドを備える外装ケーブルが含まれてもよい。束のケーブルそれぞれは、ラック４０ｄに取り付けられたバスバー２８０を介して接地されてもよい。
【００７６】
一例の取り付け配置によれば、バスバー２８０は、最も上側の後側横方向トラフ２３４の底２３３に取り付けられたバスバーサポート２８２内に収容されてもよい。
【００７７】
図３９〜図４５には、バスバーサポート２８２が示されている。本願に示されているバスバーサポート２８２は使用されうる構造の一例に過ぎないことに留意すべきである。他のサポート構造またはエンクロージャが使用されてもよい。図示する例において、バスバーサポート２８２は、トップカバー２８４と、そのトップカバー２８４に固定されるボトムカバー２８６とを備える。トップカバー２８４は、最も上側の後側横方向トラフ２３４の底２３３に設けられた穴２９０にスライド可能に挿入される取り付けフランジ２８８を備えてもよい。図３８では、最も上側の後側横方向トラフ２３５が、ラック４０ｄから取り外されて分離した状態で示されている。バスバーサポート２８２のトップカバー２８４はバスバー２８０のメインプレート２９４を受ける突起２９２を備え、ボトムカバー２８６はトッププレート２８４に対してバスバー２８０を保持する。
【００７８】
図４６〜図４８には、分離された状態のバスバー２８０が示されている。バスバー２８０は最も上側の後側横方向トラフ２３４に取り付けられるものとして説明されているが、バスバー２８０のラック４０ｄにおける取り付け位置は、他の位置でも可能である。
【００７９】
本願で説明されているラック４０の他の態様によれば、ラック４０は、光源を含んでもよい。光源は、光が照射されたラック４０の設置場所にいる作業者を視覚的に手助けしてもよい。光源は、様々な形態で設けられてもよく、また、ラック４０やその接続箇所１１４を照らすためにラック４０上の様々な位置に設けられてもよい。
【００８０】
図４９〜図６１を参照すると、図２３〜図３７のラック４０に取り付けられた４ラックユニット（４ＲＵ）パネル１０１０の１つが詳細に示されている。詳細に説明される違いを除いて、４ＲＵバージョンのパネル１０１０は、構成および機能に関して１ＲＵバージョンのものと同様であり、また１ＲＵパネル１０と同一の光ファイバ接続デバイスをスライド可能に受け入れるように構成されている。例えば、図４９〜図６１に示すように、４ＲＵパネル１０１０は、２４個のトレイ１２に対応するサイズであってもよい（すなわち、シャーシ１０１０の右側に１２個の第１のトレイ１２ａをスタック配置し、シャーシ１０１０の左側に１２個の第２のトレイ１２ｂをスタック配置する）。これらのトレイ１２内に、１ＲＵパネル１０（図１〜図３２）では１４４個の組み合わせＬＣコネクタ対、７２個のＳＣコネクタ対、または４８個のＭＰＯコネクタ対を収容するが、４ＲＵバーションでは、同一の機能である場合１ＲＵユニットの４倍の数のコネクタを収容してもよい。以下に詳細に説明するように、４ＲＵパネル１０１０内に取り付けられるトレイ１２は、１ＲＵパネル１０のトレイアセンブリ２４と同様のトレイアセンブリ１０２４の一部を形成する。
【００８１】
上述したように、４ＲＵパネル１０１０のトレイ１２内の接続箇所は、１ＲＵパネル１内の接続箇所と同様に管理されてもよい。以下に詳細に説明するように、管理４ＲＵパネルの場合、１ＲＵパネルと同様に、パネル１０１０内の中央ＰＣＢ１０２８とパネル１０１０のメインＰＣＢまたはメインコントローラ１０３６との間の接続は、パネル１０１０内を延在するリボンケーブルによって実現されている。１ＲＵバージョンのパネル１０と同様に、４ＲＵパネル１０１０において、メインコントローラ１０３６は、その反対側の後端で、リボンケーブルと接続するために、カードエッジ式接続１０６６を使用してもよく、それにより、メインコントローラ１０３６を現場交換可能デバイスとすることができる。図２３〜図３１に示すように、４ＲＵパネル１０１０のメインコントローラ１０３６は、１ＲＵバージョンと同様に、パネル１０１０の横の接続部１０７７（例えば、ＲＪ接続）を介して、高レベル管理接続ラックまたはフレーム４０と通信するように構成されてもよい。パネル１０１０のメインコントローラ１０３６は、パネル１０１０の横の別の接続部１０７９を介して駆動されてもよい。
【００８２】
４ＲＵパネル１０１０のさらなる態様が、図４９〜図６１を参照しながら、以下に説明される。
【００８３】
図４９〜図６１を参照すると、高密度ファイバ配線シャーシまたはパネル１０１０が様々な図で示されている。図４９は、複数のスライド可能な光ファイバ接続トレイまたはブレード１２が取り付けられたシャーシ１０１０の分解図である。シャーシ１０１０は、上方向に延在する側壁１０１６を備えるボトムプレート１０１４と、トップシャーシカバー１０１８と、側壁１０１６に固定されるように構成された一対の取り付けブラケット１０２０とを備える。取り付けブラケット１０２０は、シャーシ１０１０を通信ラックまたはフレームなどの他の構造物に取り付けるために使用される。上方向に延在する側壁１０１６を含むボトムパネル１０１４とトップカバー１０１８は、シャーシ１０１０内にトレイアセンブリ１０２４を取り付けるための固定穴１０２２を備える。シャーシ１０１０の取り付けブラケット１０２０はまた、シャーシ１０１０の側壁１０１６の固定穴１０２２に固定されている。一対のスペーサ−プレート１０１１が、シャーシ１０１０のボトムプレート１０１４に取り付けられている。スペーサープレート１０１１は、スタックされたトレイ１２の真下に位置する。スペーサープレートは、協調して、トレイ１２に比べてさらに下に延在する、中央ＰＣＢ１０２８とその中央ＰＣＢ１０２８の横それぞれに取り付けられた取り付けプレート１０３８とを収容する、シャーシ１０１０の前側から後側に延在するノッチ１０１３を備える。
【００８４】
図示する実施の形態において、シャーシ１０１０は、標準的な４ＲＵ（４ラックユニット）ピースとして構成されている。シャーシ１０１０は、上述した１ＲＵシャーシ１０に比べて４倍の数のトレイを収容するように構成されている。
【００８５】
さらに図４９〜図６１を参照すると、上述したように、各シャーシ１０１０は、トレイアセンブリ１０２４を収容するように構成されている。図示する実施の形態において、１ＲＵシャーシ１０と同様に、トレイアセンブリ１０２４は、シャーシ１０１０の右側に配置された第１のトレイアセンブリ１０２４ａとシャーシ１０１０の左側に配置された第２のトレイアセンブリ１０２４ｂとによって構成されてもよい。トレイアセンブリ１０２４それぞれは、スタック状態で取り付けられた複数のスライド可能トレイ１２を含んでいる。例えば、第１のトレイアセンブリ１０２４ａは、図に示すように、スタック状態で取り付けられた１２個の第１のトレイ１２ａを含んでもよい。第２のトレイアセンブリ１０２４ｂは、スタック状態で取り付けられた１２個の第２のトレイ１２ｂを含んでもよい。したがって、図示するバージョンにおいては、シャーシ１０１０は、トータルで２４個のスライド可能トレイ１２を収容している。
【００８６】
第１および第２のトレイアセンブリ１０２４ａ、１０２４ｂは、構成に関して類似している。説明を簡略化するために、第１のトレイ１０２４ａのみ、詳細に説明する。第１のトレイアセンブリ１０２４ａの特徴は、説明された違いを除いて、第２のトレイアセンブリ１０２４ｂにも完全にあてはまる。なお、複数の図面（例えば図５３〜５４）において、図面を簡略化するために第１のトレイ１２ａは１つしか示されていない。したがって、本開示においては、その１つの第１のトレイ１２ａについて詳細に説明される。第１のトレイ１２ａの特徴は、スタック配置状態で取り付けられている他の第１のトレイ１２ａまたはシャーシ１０１０の左側に取り付けられている他の第２のトレイ１２ｂにも完全にあてはまる。
【００８７】
特に図５１〜図５２を参照すると、第１および第２のトレイアセンブリ１０２４ａ、１０２４ｂは、図４９〜図５０のシャーシ１０１０から外れた状態で示されている。図５１において、特に、第１および第２のトレイアセンブリ１０２４ａ、１０２４ｂは、構成要素が互いに離間した状態である分解状態で示されている。上述したようにおよび以下で詳細に説明するように、２つのトレイアセンブリ１０２４は、一緒に取り付けられたとき、その間に中央ＰＣＢ１０２８を保持する。中央ＰＣＢ１０２８は、シャーシ１０９１０の前側１０３２および後側１０３４の両方にＬＥＤ１０３０の形態のインジケータを含み、それにより、トレイ１２にアクセスすべき旨を作業者に通知してもよい。１ＲＵパネル１０と同様に、第１のトレイアセンブリ１０２４ａおよび第２のトレイアセンブリ１０２４ｂ両方の全てのトレイ１２は、中央ＰＣＢ１０２８に対して電気的に接続されている。そして、中央ＰＣＢ１０２８はシャーシ１０１０のメインＰＣＢまたはメインコントローラ１０３６に電気的に接続され、シャーシ１０１０のメインＰＣＢ１０３６は、高レベル管理接続ラックまたはフレーム４０と通信するように構成されている。
【００８８】
図５１〜図５４を参照すると、第１のトレイアセンブリ１０２５ａの異なる部分が示されている。第１のトレイアセンブリ１０２４は、中央ＰＣＢ１０２８、取り付けプレート１０３８、１ＲＵシャーシ１０１０で説明した４つの取り付けブロック４２（１つのみ図示）、第１のトレイ１２ａ、第１のエンドサポート１０４４ａ、その第１のエンドサポート１０４４ａの上にスタックされた第２のエンドサポート１０４４ｂ、および第１のエンドサポート１０４４ａに取り付けられるメインＰＣＢ１０３６を含んでいる。上述したように、１ＲＵパネル１０と同様に、リボンケーブル４６の形態のフレキシブル回路により、中央ＰＣＢ１０２８とトレイ１２上に配置されたＰＣＢ４８との間の電気的接続が実現されている。そして、一対のリボンケーブル１０５０ａ、１０５０ｂが、中央ＰＣＢ１０２８とシャーシ１０１０のメインＰＣＢまたはメインコントローラ１０３６との間の電気的接続を実現している。リボンケーブル１０５０ａ、１０５０ｂは、シャーシ１０１０のスペーサープレート１０１１の１つの上側に沿って、且つ、トレイ１２の直下を延在するように構成されている。中央ＰＣＢ１０２８を介して、リボンケーブル１０５０ａ、１０５０ｂは、第１および第２のトレイアセンブリ１０２４ａ、１０２４ｂの両方をメインＰＣＢ１０３６に接続している。中央ＰＣＢ１０２８は、リボンケーブル１０５０ａ用の第１の接続ポイント１０２９ａと、リボンケーブル１０５０ｂ用の第２の接続ポイント１０２９ｂとを含んでいる。
【００８９】
第２のトレイアセンブリ１０２４ｂの取り付けプレート１０３８とともに第１のトレイアセンブリ１０２４ａの取り付けプレート１０３８は、中央ＰＣＢ１０２８を保持し、中央ＰＣＢ１０２８とトレイアセンブリ１０２４の取り付けブロック４２とをシャーシ１０１０に取り付けるように構成されている。取り付けプレート１０３８は、中央ＰＣＢ１０２８をシャーシ１０１０のボトムプレート１０１４とトップカバー１０１８とに取り付けるための中央ＰＣＢ１０２８の固定穴１０５６に対して位置合わせされる固定穴１０５４を備えるタブ１０５２を備える。取り付けプレート１０３８はまたその側壁に固定穴１０５８を含み、それにより、取り付けブロック４２（各取り付けプレート１０３８に４つがスタック配置されている）がそこに且つシャーシ１０１０に固定される。
【００９０】
各トレイ１２は、トレイアセンブリ１０２４の取り付けブロック４２とエンドサポート１０４４ａ、１０４４ｂとの間をスライド可能に構成されている。第１のトレイアセンブリ１０２４ａの場合、例えば、エンドサポート１０４４ａ、１０４４ｂは、シャーシ１０１０の右側側壁１０１６に取り付くための固定穴１０６０を備える。第１のエンドサポート１０４４ａは、メインＰＣＢ１０３６を収容するための溝１０６２を備える。図５０に示すように、メインＰＣＢ１０３６は、第１のエンドサポート１０４４ａの溝１０６２内にスライド可能に設けられる。作業者は、第１のエンドサポート１０４４ａの前側エンドキャップ１０６４を取り外すことによってメインＰＣＢ１０３６にアクセス可能である。メインコントローラ１０３４は、その反対側の後端で、リボンケーブル１０５０ａ、１０５０ｂに接続するために、カードエッジ式接続部を使用してもよい。そのカードエッジ式接続部により、メインコントローラ１０３６を現場交換可能デバイスとして扱うことができる。後側エンドキャップ１０６８はまた、第１のエンドサポート１０４４ａの後端に配置される。１ＲＵパネル１０にように、トレイアセンブリ１０２４の両方が中央ＰＣＢ１０２８を介して接続されているために、第１のトレイアセンブリ１０２４ａの第１のエンドサポート１０４４のみに、メインコントローラ１０３６を支持するための溝１０６２が設けられている。図示する実施の形態において、第２のトレイアセンブリ１０２４ｂのエンドサポート１０４４ａ、１０４４ｂは、メインコントローラまたはＰＣＢ１０３６を収容するものとして示されていない。この構成を、所定のラック４０内におけるシャーシ１０１０の姿勢に基づいて変更してもよい。
【００９１】
１ＲＵパネル１０のように、トレイ１２のサイド取り付け部７４は、トレイアセンブリ１０２４のエンドサポート１０４４ａ、１０４４ｂとスライド可能に連結するように構成されている。エンドサポート１０４４ａ、１０４４ｂは、スタック配置状態で設けられた長手方向に延在する溝１０８０を含んでいる。エンドサポート１０４４ａ、１０４４ｂの溝１０８０は、トレイ１２それぞれのサイド取り付け部７４を受け入れるように構成されている。１ＲＵパネル１０のように、サイド取り付け部７４とエンドサポート１０４４ａ、１０４４ｂの溝１０８０は、スライド移動するためにまた横方向の分離を抑制するために、ぴったりと係合する。
【００９２】
トレイのケーブル管理部は、１ＲＵパネル１０に関して説明したような方法と同様な方法で、エンドサポート１０４４ａ、１０４４ｂに連結されている。
【００９３】
図５６〜図５７を参照すると、第１のリンクアーム１２８ａは、ヒンジアセンブリ１１３０を介してトレイアセンブリ１０２４のエンドサポート１０４４ａ、１０４４ｂの前側に直接的に且つ旋回可能に連結されている。ヒンジアセンブリ１１３０は、エンドサポート１０４４ａ、１０４４ｂの両方と第１のリンクアーム１２８ａの貫通穴１１３４に挿入される旋回可能な連結を行うためのヒンジピン１１３２を備える。図５６〜図５７に示すように、ヒンジアセンブリ１１３０はまた、トーションばね１３６を含み、その一方の端がエンドサポート１０４４ａ、１０４４ｂの前側の長穴１１３８に挿入され、他端（垂直方向端）が第１のリンクアーム１２８ａに設けられポケット１４０に挿入されている。上述の１ＲＵシャーシ１０のように、トーションばね１３６は、リンクアームアセンブリ１２６を元のクローズ位置に向かって付勢するように構成されている。トーションばね１３６は、トレイ１２が前方向または後方向に引き出されているに関係なく、作業者がトレイ１２を所定の位置に押し戻すにつれて、ケーブル管理リンクアーム１２８をパネル１０内に押し戻す。また、同様のトーションばねが、トレイ１２の後側ケーブル管理部７６に設けられており、トレイ１２をクローズ位置に付勢している状態の前側ケーブル管理部７６ａのトーションばね１３６をアシストしている。
【００９４】
４ＲＵシャーシの場合における、一例のケーブル配線構成が図５８〜図６１に示されている。ケーブル１２２は、前側および後側接続箇所１１４から、範囲リミッタ１２４を通過し、３つの同様のリンクアーム１２８ｂそれぞれを通過し、最終的にシャーシ１０１０の外部に至る前に第１のリンクアーム１２８ａを通過する。上述したように、前側リンクアームアセンブリ１２６ａと後側リンクアームアセンブリ１２６ｂは、トレイ１２がいずれかの方向から引き出されるにつれてケーブルのたるみを管理するために、同期して移動するように構成されている。
【００９５】
１ＲＵシャーシ１０について上述したように、トレイ１２の一部分とシャーシ１０１０は、トレイ１２内に取り付けられたアダプタ１１８のメディア読み出しインターフェースを、シャーシ１０１０を収容しているラック４０のコントローラと通信するシャーシ１０１０のメインコントローラまたはメインＰＣＢ１０３６に対して接続するように構成された導電性パスを備えてもよい。
【００９６】
シャーシ１０１０のメインコントローラ１０３６またはラック４０のコントローラは、メディア読み出しインターフェースによって得られた物理層の情報を管理するように構成された処理ユニットを含んでもよいまたは処理ユニットに接続されてもよい（例えばネットワーク上で）。
【００９７】
図５３〜図５５を参照すると、図示する一例の実施の形態によれば、各トレイ１２に対して、作業者がトレイ５０上のスナップ部を介して２４ポートのアダプタブロックアセンブリ１２０を取り付けると、アダプタブロックアセンブリ１２０が、上述したようにネットワークに接続してもよい。このような管理パネル１０１０の場合、例えば、アダプタブロックアセンブリ１２０のプリント回路基板が、図５５に示すように、トレイ１２上のマルチピンコネクタ１６２を介して、トレイ１２に接続してもよい。トレイ上のマルチピンコネクタ１６２は、パネル１０１０内の中央ＰＣＢ１０２８に至るリボンケーブル４６によって形成されたフレキシブル回路に取り付けられてもよい。図に示すように、マルチピンコネクタ１６２からリボンケーブル４６に至る導電性パスは、トレイ１２の中央仕切り部１６４に配置されたプリント回路基板４８と、トレイ１２のメイン接続部７０の後側１６６に沿って横方向に配置されたフレキシブルリボンケーブル４６の部分４５とによって実現されている。
【００９８】
１ＲＵパネル１０について上述したように、垂直方向に設けられているリボンケーブル４６の部分４７は、トレイ１２の中央取り付け部７２によって形成されているキャビティ１７０内でループしている（図１０〜図１２に前に示したように）。リボンケーブル４６の垂直部分４７は、キャビティ１７０内を移動するように構成されており、それにより、中央ＰＣＢ１０２８とトレイＰＣＢ４８との間のリボンケーブル４６を介する通信を邪魔することなく、トレイ１２を出し入れすることができる。リボンケーブル４６の一端１７２は、トレイ１２の中央取り付け部７２の左側壁１７６上のスロット１７４を通過するように延在し、中央ＰＣＢ１０２８に接続する。別のスロット１７８がトレイ１２の中央取り付け部７２の右側壁１８０に設けられており、それにより、リボンケーブル４６の部分がキャビティ１７０の内部からトレイ１２のメイン接続部７０に延在することができる。リボンケーブル４６は、ねじれることによって垂直方向の姿勢から横方向の姿勢に移行している。
【００９９】
各トレイ１２に関して、リボンケーブル１４６の一端１７２は、トレイの中央取り付け部７２の左側壁のスロット１７４を通過した後、中央ＰＣＢ２８のコネクタ１７９と接続する前に、取り付けブロック４２のスロット１７５と続く取り付けプレート１０３８のスロット１１７７とを通過するように延在する。
【０１００】
上述したように、中央ＰＣＢ１０２８は、トレイ１２にアクセスすべき旨を作業者に通知するために、パネル１０１０の前側１０３２および後側１０３４の両方に設けられたＬＥＤ１０３０などのインジケータを使用してもよい。中央ＰＣＢ１０２８は、トレイアセンブリ１０２４のエンドサポート１０４４ａ内に収容されているシャーシ１０１０のメインＰＣＢまたはメインコントローラ１０３６に接続してもよい。この接続は、第１のエンドサポート１０４４ａに向かうリボンケーブル１０５０ａ、１０５０ｂを介して行われる。リボンケーブル１０５０ａ、１０５０ｂは、第１のエンドサポート１０４４ａの溝１０６２内に配置されたカードエッジ式コネクタ１０６６に向かって延在するように構成されている。作業者は、メインコントローラ１０３６に、第１のエンドサポート１０４４ａの前側エンドキャップ１０６４を取り外すことによってアクセスすることができる。メインコントローラ１０３６は、その反対側の後端で、リボンケーブル１０５０ａ、１０５ｂと接続するために、コネクタ１０６６を備えるカードエッジ式接続部を使用してもよい。その結果、メインコントローラ１０３６を現場交換可能なデバイスとして扱うことができる。
【０１０１】
図２３〜図３７に示すように、メインコントローラ１０３６は、パネル１０１０の横の接続部（例えば接続部１０７７）を介して、高レベル管理接続ラックまたはフレーム４０と通信するように構成されている。パネル１０１０のメインコントローラ１０３６は、パネル１０１０の横の別の接続部（例えば接続部１０７９）を介して駆動されてもよい。
【０１０２】
図６２〜８０は、本開示の原理に従う一例の発明の態様である特徴を備える複数のスライド可能光ファイバ接続トレイまたはブレードを支持するように構成された、別の実施の形態の１ＲＵ高密度ファイバ配線シャーシを示している。以下に詳細に説明するように、図６２〜図８０のシャーシ２０１０は、図１〜図２２の１ＲＵシャーシと同様の特徴を含んでいる。また、図６２〜図８０のシャーシ２０１０は、詳細に説明されるように、図１〜図２２の１ＲＵシャーシと異なる特徴を含んでいる。例えば、シャーシ２０１０は、シャーシに対して物理的且つ電気的に完全に取外し可能であって、他のトレイまたはブレードと交換可能なスライド可能トレイまたはブレードを収容するように構成されている。
【０１０３】
図１〜図６１に示す上述した一例のデバイスのように、図６２〜図８０に示す光ファイバ通信デバイスは、高密度配線ラックまたはフレームに取り付けられるように構成されたパネルまたはシャーシである。シャーシまたはパネルは、複数のスライド可能トレイまたはブレードを収容するように構成されている。トレイは、複数の光ファイバ接続部を支持するように構成されている。一実施の形態によれば、パネルまたはそのパネルを収容するラックは管理デバイスであって、コネクタが妨害されることなく正しい接続箇所（例えばアダプタ）に差し込まれていることを確認するために接続部が監視されている。ここで説明されて図６２〜図８０に示されているパネルは１ラックユニット（１ＲＵ）パネルであるが、４ラックユニット（４ＲＵ）サイズのバージョンであってもよい。
【０１０４】
上述したまた図１〜図２２に示す１ＲＵシャーシのように、パネル内において、また各トレイまたはブレード内において、例えば、光ファイバコネクタを接続するために使用されるアダプタブロックアセンブリによって構成される接続箇所は、パネルの前側および後側の両方からアクセス可能であってもよい。アダプタブロックアセンブリは、スライドトレイに搭載されてもよく、パネルの中央部に配置されてもよい。引き出しレバーまたはスライドレバーを構成するトレイの部分を使用することにより、トレイは、アダプタブロックアセンブリの前側接続部にアクセスするために、前側にスライドしてもよい。前側コネクタに取り付けられたケーブルは、アダプタブロックアセンブリの前側へのアクセスの邪魔にならないように前側にスイングする５つのケーブル管理リンクアームによって構成されるリンクアームアセンブリを用いることによって管理されてもよい。作業者が前側コネクタにアクセスする／装着すると、上述の引き出しレバーまたはスライドレバーを用いることにより、トレイが中央位置に押し戻される。トレイは、リンクアームアセンブリ内に配置された引っ張りばねとともに、作業者によって所定の位置にトレイが押し戻されるにつれて、ケーブル管理リンクアームをパネル内に押し戻すように構成されている。
【０１０５】
アダプタブロックアセンブリの後側にアクセスまたは装着するために、作業者は、パネルの後側からトレイを反対側に引き出すことができ、それにより後側のケーブルを管理するためにリンクアームが移動する。
【０１０６】
上述の１ＲＵパネルのように、一例の実施の形態によれば、１ＲＵパネルあたりトータル６個のトレイが存在し、それぞれが２４個のＬＣ接続部を保持することができるアダプタブロックアセンブリを収容しているので、トータル６×２４＝１４４個の接続部が存在する。一例によれば、トレイは、パネルの各サイドに（すなわち、第１のサイドおよび第２のサイド）に高さ方向に３個スタックされてもよい。各トレイは、内部へのケーブルおよび外部へのケーブルを管理するために、前側および後側の両方でリンクアームを用いてもよい。リンクアームは、そのリンクアームの上側および横側からケーブルを取り付けおよび取り外しできるように構成されている。リンクアームは、移動するトレイの位置に関係なく、その内部のケーブルが要求される最小曲げ半径より小さくならないように構成されている。トレイアセンブリのエンドサポートの１つに直接的に取り付けられている最も長いリンクアームは、多芯ファイバケーブルから複数の一芯ファイバケーブル１２２にファイバを移行させるデバイスである２つのファンアウト（ｆａｎｏｕｔｓ）を保持するように構成されてもよい。
【０１０７】
各トレイに対して、作業者は、トレイ上のスナップ係合取り付け部を介して２４ポートアダプタブロックアセンブリを取り付けてもよい。管理パネルの場合、アダプタブロックアセンブリは、それに導入されたプリント回路基板（ＰＣＢ）を含んでもよく、そのプリント回路基板は、アダプタ開口内の接点部と各コネクタのチップを用いることにより、導入された各コネクタに対して接続している。アダプタブロックアセンブリ上のＰＣＢは、トレイ上のマルチピンコネクタを介してそのトレイに接続されてもよい。トレイ上のコネクタは、シャーシ内の中央ＰＣＢに至るリボンケーブルの形態のフレキシブル回路に取り付けられてもよい。リボンケーブルはトレイのスライドアセンブリ内に変形可能に配線されてもよく、それにより、中央ＰＣＢとアダプタブロックアセンブリＰＣＢとの間のリボンケーブルを介する通信を邪魔することなく、トレイを出し入れすることができる。各トレイのスライドアセンブリは、トレイがシャーシに取り付けられたときに中央ＰＣＢに電気的に接続されるように構成されているマイクロスライドＰＣＢを収容してもよい。取り外し可能トレイそれぞれのマイクロスライドＰＣＢは、トレイにアクセスすべき旨を作業者に通知するために、発光ダイオード（ＬＥＤ）の形態のインジケータを使用してもよい。中央ＰＣＢは、シャーシのトレイアセンブリのエンドサポートの一つに収容されているメインＰＣＢ（すなわち、メインコントローラ）に接続されてもよい。その接続は、シャーシのトップカバーに沿ってエンドサポートに至る別のトップＰＣＢを介して行われている。メインＰＣＢまたはメインコントローラは、取り外し可能なデバイスであってもよく、また、エンドサポートの前側エンドキャップを取り外することによって作業者に対してアクセス可能であってもよい。メインコントローラは、その反対側の後端で、エンドサポート内に収容されたバックプレーンＰＣＢと接続するために、カードエッジ式接続部を使用してもよい。カバーに沿って延在するトップＰＣＢは、中央ＰＣＢを、バックプレーンＰＣＢに接続し、それによりカードエッジ式接続部を介してメインコントローラに接続してもよい。シャーシのメインコントローラは、パネル横の接続部（例えばＲＪ接続部）を介して高レベル管理接続ラックまたはフレームと通信してもよい。パネルのメインコントローラは、パネル横の他の接続部を介して駆動されてもよい。
【０１０８】
上述の態様の通信デバイスは、以下でさらに詳細に説明される。
【０１０９】
図６２〜図６９を参照すると、高密度ファイバ配線シャーシまたはパネル２０１０が様々な図で示されている。シャーシ２０１０は、それに複数のスライド可能光ファイバ接続トレイまたはブレード２０１２が搭載された状態で示されている。以下に詳細に説明するように、トレイ２０１２は、シャーシ２０１０から物理的且つ電気的に完全に取り外し可能であって、また他の同様のトレイと交換可能である。
【０１１０】
シャーシ２０１０は、上方向に延在する側壁２０１６を備えるボトムプレート２０１４と、トップシャーシカバー２０１８と、側壁２０１６に固定するように構成された（図６３参照）一対の取り付けブラケット２０２０とを備える。取り付けブラケット２０２０は、通信ラックまたはフレーム４０などの他の構造物にシャーシ２０１０を取り付けるために使用される。上方向に延在する側壁２０１６を含むボトムプレート２０１４とトップカバー２０１８は、シャーシ２０１０内にトレイアセンブリ２０２４を取り付けるための固定穴２０２２を備える。シャーシ２０１０の取り付けブラケット２０２０はまた、シャーシ２０１０の側壁２０１６上の固定穴２０２２に固定されている。
【０１１１】
図示する実施の形態において、上述したように、シャーシ２０１０は、標準的な１ＲＵ（ラックユニット）ピースとして構成されている。他の実施の形態において、シャーシ２０１０は、異なるサイズで構成されてもよい。一例の実施の形態によれば、シャーシは、４ＲＵデバイスとして構成されてもよい。このような例のシャーシが、図２３〜図３７に、通信ラック４０に取り付けられたものとして示されている。
【０１１２】
さらに図６２〜図６９を参照すると、上述したように、シャーシ２０１０それぞれは、トレイアセンブリ２０２４を収容するように構成されている。図示する実施の形態において、トレイアセンブリ２０２４は、シャーシ２０１０の右側に配置された第１のトレイアセンブリ２０２４ａと、シャー素２０１０の左側に配置された配置された第２のトレイアセンブリ２０２４ｂとによって構成されている。トレイアセンブリ２０２４それぞれは、スタック配置状態で取り付けられた複数のスライド可能トレイ２０１２を含んでもよい。例えば、第１のトレイアセンブリ２０２４ａは、図示するように、スタック配置状態で取り付けられた３個の第１のトレイ２０１２ａを含んでもよく、第２のトレイアセンブリ２０２４ｂはスタック配置状態で取り付けられた３個の第２のトレイ２０１２ｂを含んでもよい。したがって、シャーシ２０１０は、図示するバージョンでは、トータル６個のスライド可能トレイ２０１２を収容する。
【０１１３】
図６５に示すように、図示する実施の形態のシャーシ２０１０において、第１のトレイアセンブリ２０２４ａはシャーシの前側から取り外し可能であって、第２のトレイアセンブリ２０２４ｂはシャーシの後側から取り外し可能である。各トレイは、シャーシ２０１０に対して前方向と後方向の両方にスライド可能である。
【０１１４】
図６２に示すように、シャーシは、そのシャーシ２０１０の前側２０３２と後側２０３４それぞれに一対の旋回ドア２００３を備える。旋回ドア２００３は、シャーシ２０１０内の第１および第２のトレイアセンブリ２０２４を保護する。前側２０３２および後側２０３４の両方の旋回ドア２００３は、ピボットヒンジ２０１１を共有し、同一の旋回軸を中心として旋回し、シャーシ２０１０内のトレイアセンブリ２０２４へのアクセスを可能にする。旋回ドア２００３は、ピボットヒンジ２０１１の反対側の端にラッチ２０１３を備え、それによりクローズ位置で旋回ドア２００３がロックされる。ラッチ２０１３は、エンドサポート２０４４に隣接し、シャーシ２０１０のトップシャーシカバー２０１８とボトムプレート２０１４に設けられた戻り止めにスナップ係合するように構成されたフレキシブル部分を備える。
【０１１５】
図８１〜図８６は、本願のシャーシ２０１０に使用される別例の旋回ドア３００３を示している。旋回ドア３００３は、ユーザーがドア３００３をラッチおよびアンラッチするためのばねラッチ機構３００５を含んでいる。
【０１１６】
図８１〜図８５を参照すると、第１の端３００７に、旋回ドア３００３は、シャーシ２０１０内のトレイアセンブリ２０２４へのアクセスのために旋回ドア３００３を旋回可能に開けるために、シャーシ２０１０の旋回ヒンジ２０１１と協働する旋回ピン３００９を備える。第２の端３０１１に、旋回ドア３００３は、ユーザーがクローズ位置でドア３００３をラッチし、オープン位置で旋回ドア３００３をアンラッチするためのばねラッチ機構３００５を備える。
【０１１７】
ばねラッチ機構３００５は、ドア３００３の第２の端３０１１でカバー３０１５によって保持されるように構成されているスライドラッチ３０１３を含んでいる。カバー３０１５は、固定具３０１７によってドア３００３の第２の端３０１１に固定されている。スライドラッチ３０１３は、以下で説明するように、カバー３０１５とドア３００３との間でのスライド移動が制限されるように構成され、ばねによって延長位置（すなわちクローズ位置またはラッチ位置）に向かって付勢されている。
【０１１８】
スライドラッチ３０１３は、ドア３００３Ｋ上のガイドタブ３０２１と協働するガイドスロット３０１９を備え、それにより、スライドラッチ３０１３は、延長位置と引っ込み位置（すなわちオープン位置またはアンラッチ位置）との間でスライド可能である。ガイドスロット３０１９の端３０２３にガイドタブ３０２１が隣接すると、スライドラッチ３０１３のスライド移動が積極的に停止されて制限される。
【０１１９】
さらに、図８１〜図８６を参照すると、スライドラッチ３０１３に付勢力を与えるばね３０２５が、スライドラッチ３０１３に形成されたばねポケット３０２７内に配置されている。ばね３０２５は、ばね３０２５の第１の端３０１３でばねポケット３０２７の第１の端３０２９に接触し、ばね３０２５の第２の端３０３５でドア３００３のばねストッパ３０３３に接触している。この方法において、ばね３０２５は、スライドラッチ３０１３とドア３００３上の構造との間に保持され、それによりスライドラッチ３０１３をドア３００３から離れるように付勢することができる。
【０１２０】
スライドラッチ３０１３は、２つの対向し合うロックタブ３０４１のピン３０３９を受け入れるように構成された一対の傾斜したピン溝３０３７を備える。ロックタブ３０４１は、スライドラッチ２０１３の移動方向に対して略直交する方向にスライド移動可能に構成されている。ロックタブ３０４１はまた、スライドラッチ３０１３と同様に、ロックタブ３０４１をガイドするとともにその移動を制限するために、カバー３０１５に形成されたガイドスロット３０４７にスライド可能に係合するガイドタブ３０４５を含んでいる。ガイドタブ３０４５は、ピン３０３９とは反対側のロックタブ３０４１の表面に設けられている。
【０１２１】
ロックタブ３０４１は、テーパー面３０５１を備えたロック端３０４９と、その反対側の平面３０５３とを含んでいる。ロック端３０４９は、エンドサポート２０４４に隣接し、シャーシ２０１０のトップシャーシカバー２０１８とボトムプレート２０１４に設けられた戻り止め２０１５にスナップ係合するように構成されている。ロック端３０４９の平面３０５３は、オープン位置にドア３００３を旋回するために、戻り止め２０１５から離れる必要がある。
【０１２２】
図８５〜図８６に示すように、スライドラッチ３０１３がドア３００３に向かって内側に押されてばね３０２５が押圧されると、ロックタブ３０４１が、傾斜ピン溝３０３７とロックタブ３０４１のピン３０３９との間のカム作用によってスライドラッチ３０１３に向かって引っ込む。ロックタブ３０４１が戻り止め２０１５から離れると、ドア３００３を開けることができる。
【０１２３】
ばね３０２５は、スライドラッチ３０１３を延長位置に向かって外側に付勢する。傾斜ピン溝３０３７とロックタブ３０４１のピン３０３９との間のカム作用により、ロックタブ３０４１は、ばね３０２５によってスライドラッチ３０１３から離れるように外側に押される。ユーザーが旋回ドア３００３を閉じる必要がある場合、ユーザーが単に旋回ドア３００３をクローズ位置に向かって押すと、ロックタブ３０４１のロック端３０４９のテーパー面３０５１により、ロックタブ３０４１がシャーシ２０１０上の戻り止めにスナップ係合する。ロック端３０４９のテーパー面３０５１がシャーシ２０１０のトップシャーシカバー２０１８の前縁とボトムプレート２０１４の前縁に接触すると、ロックタブ３０４１がわずかに内側に移動してシャーシ２０１０のカバー２０１８とボトムプレート２０１４から離れて戻り止め２０１５にスナップ係合する。
【０１２４】
旋回ドア３００３は、１ＲＵシャーシに関して説明されたが、同様のばねラッチ機構を用いることによって４ＲＵシャーシに使用できるように変更してもよい。
【０１２５】
図６４を再び参照すると、取り付けられたトレイアセンブリ２０２４を示すためにシャーシカバー２０１８が完全に取り外された状態のシャーシ２０１０の部分的分解図が示されている。２つのトレイ２０１２のためのケーブル管理部は、シャーシ２０１０から離れた状態で示されている。
【０１２６】
第１および第２のトレイアセンブリ２０２４ａ、２０２４ｂは、構成に関してほぼ同様であるため、説明の簡略化のために、第１のトレイアセンブリ２０２４ａのみを詳細に説明する。その第１のトレイアセンブリ２０２４ａの特徴は、説明される違いを除いて第２のトレイアセンブリ２０２４ｂにも完全にあてはまる。なお、図７０〜図７７においては、図面および説明を簡略化するために、１つの第１のトレイ２０１２ａしか示していない。その第１のトレイ２０１２ａの特徴は、これとともにスタック配置状態で取り付けられている他の第１のトレイ２０１２ａ、または、シャーシ２０１０の左側に取り付けられている他の第２のトレイ２０１２ｂにも完全にあてはまる。
【０１２７】
図６５〜図６９を参照すると、第１及び第２のトレイアセンブリ２０２４ａ、２０２４ｂが、シャーシ２０１０の外側に示されている。上述の実施の形態のシャーシについて説明したように、また以下に詳細に説明するように、２つのトレイアセンブリ２０２４は、一緒に取り付けられると、その間で中央ＰＣＢ２０２８を保持する。中央ＰＣＢ２０２８は、トレイ２０１２にアクセスすべき旨を作業者に伝えるために、シャーシ２０１０の前側２０３２と後側２０３４の両方に設けられているＬＥＤ２０３０の形態のインジケータに電気的に接続してもよい。以下で詳細に説明するように、ＬＥＤ２０３０は、取り外し可能トレイ２０１２によって移動されてもよく、トレイ２０１２がシャーシ２０１０にスライド可能に取り付けられたときに中央ＰＣＢ２０２８に対して電気的に接続されてもよい。
【０１２８】
第１のトレイアセンブリ２０２４ａと第２のトレイアセンブリ２０２４ｂの両方の全てのトレイ２０１２は、中央ＰＣＢ２０２８に対して電気的に接続するように構成されている。そして、中央ＰＣＢ２０２８は、シャーシ２０１０のメインＰＣＢまたはメインコントローラ２０３６に電気的に接続されるように構成されている。シャーシ２０１０のメインＰＣＢ２０３６は、高レベル管理接続ラックまたはフレーム４０と通信するように構成されている。
【０１２９】
さらに図６５〜図６９を参照すると、第１のトレイアセンブリ２０２４ａの異なる部分が、分解状態で示されている。第１のトレイアセンブリ２０２４ａは、１対の取り付けブロック２０４２とその間に保持された中央ＰＣＢ２０２８とを含む中央仕切りアセンブリ２０２７から形成されている。第１のトレイアセンブリ２０２４ａはまた、第１のトレイ２１２ａ、エンドサポート２０４４、メインＰＣＢ２０３６、およびエンドサポート２０４４に取り付けられたバックプレーンＰＣＢ２０６６を含んでいる。上述したように、また以下で詳細に説明するように、リボンケーブル２０５６の形態のフレキシブル回路により、シャーシ２０１０の中央ＰＣＢ２０２８とトレイ２０１２上のトレイＰＣｂ２０４８とが電気的に接続されている。別のＰＣＢ（例えばトップＰＣＢ）が中央ＰＣＢ２０２８とバックプレーンＰＣＢ２０６６との間を接続している。シャーシ２０１０のメインＰＣＢまたはメインコントローラ２０３６は、カードエッジ式接続部を介してバックプレーンＰＣＢ２０６６に接続されている。トップＰＣＢ２０５０は取り付けパネル２００７に取り付けられ、取り付けパネル２００７は、トップＰＣＢ２０５０をシャーシ２０１０のトップシャーシカバー２０１８に取り付けるように構成されている。トップＰＣＢ２０５０は、中央ＰＣＢ２０２８を介して、第および第２のトレイアセンブリ２０２４ａ、２０２４ｂの両方をメインＰＣＢ２０３６に接続することができる。
【０１３０】
図６５は、トレイ２０１２を備える分解状態のシャーシ２０１０を示している。図６６は、エンドサポート２０４４と中央仕切りアセンブリ２０２７とを備える分解状態のシャーシ２０１０を示している。図６７は、シャーシ２０１０の分解状態の中央仕切りアセンブリ２０２７を示している。図６８は、シャーシ２０１０の分解状態の右側のエンドサポート２０４４を示している。エンドサポート２０４４は、シャーシ２０１０のメインコントローラまたはメインＰＣＢ２０３６を収容するように構成されている。図６９は、シャーシ２０１０の右側のエンドサポート２０４４の取り外し可能なエンドキャップ２０６４の側面図である。
【０１３１】
さらに図６５〜図６９を参照すると、右側および左側の取り付けブロック２０４２は、中央ＰＣＢ２０２８を保持するとともに、中央ＰＣＢ２０２８と中央仕切りアセンブリ２０２７をシャーシ２０１０に取り付けるように構成されている。取り付けブロック２０４２は、中央ＰＣＢ２０２８をブロック２０４２に取り付けるために、中央ＰＣＢ２０２８の固定穴２０５６に位置合わせされる固定穴２０５４を備える。取り付けブロック２０４２はまた、中央仕切りアセンブリ２０２７をシャーシ２０１０に取り付けるために、トップシャーシカバー２０１８の固定穴に位置合わせするように構成された固定穴２０５５を備える。
【０１３２】
さらに詳細に説明するように、トレイ２０１それぞれは、トレイアセンブリ２０２４の取り付けブロック２０４２とエンドサポート２０４４との間にスライド可能に保持されるように構成されている。第１のトレイアセンブリ２０２４ａの場合、例えば、エンドサポート２０４４は、トップシャーシカバー２０１８とボトムプレート２０１４とに取り付けられるための固定穴２０６０を備える。右側のエンドサポート２０４４はまた、シャーシ２０１０の右側側壁２０１６に対向するように、メインＰＣＢ２０３６とバックプレーンＰＣＢ２０６６を保持するように構成されている。右側側壁２０１６はまた、トップシャーシカバー２０１８に固定される。右側のエンドサポート２０４４は、メインＰＣＢ２０３６とバックプレーンＰＣＢ２０６６を収容するための溝２０６２を備える。図６８に示すように、またさらに詳細に説明されるように、メインＰＣＢ２０３６は、右側のエンドサポート２０４４の溝２０６２内にスライド可能に取り付けられる。作業者は、エンドサポート２０４４の前側エンドキャップ２０６４を取り外すことによってメインＰＣＢ２０３６にアクセス可能である。メインコントローラ２０３５は、反対側の後端で、バックプレーンＰＣＢ２０６６と接続するために、また最終的には取り付けパネル２００７を介してシャーシトップカバー２０１８に取り付けられているトップＰＣＢ２０５０と接続するために、カードエッジ式接続部２０１７を使用してもよい。上述の実施の形態のように、図示する実施の形態のシャーシ２０１０において、中央ＰＣＢ２０２８を介して両方のトレイアセンブリ２０２４が接続されているため、第１のトレイアセンブリ２０２４ａの１つのエンドサポート２０４４（すなわち、右側エンドサポート）のみがメインコントローラ２０３６とバックプレーンＰＣＢ２０６６を支持するための溝２０６２を備えている。第２のトレイアセンブリ２０２４ｂのエンドサポート２０４４は、メインＰＣＢ２０３６またはバックプレーンＰＣＢ２０６６を収容するものとして図示されてはいない。この構成は、所定のラック４０内のシャーシ２０１０の姿勢に基づいて変更されてもよい。
【０１３３】
さらに図６７を参照すると、右側の取り付けブロック２０４２は、第１のトレイアセンブリ２０２４ａの一部をスライド可能に受け入れるための溝２０７８を備え、左側の取り付けブロック２０４２も、第２のトレイアセンブリ２０４ｂの一部を受け入れるための溝２０７８を備える。
【０１３４】
左側の取り付けブロック２０４２は、その前端に、各トレイ２０１２に１つずつである３つのロックレバー２０１９を備える。右側の取り付けブロック２０４２は、その後端に、各トレイ２０１２に１つずつである３つのロックレバー２０１９を備える。以下に詳細に説明するように、ロックレバー２０１９は、中央仕切りアセンブリ２０２７に対してトレイ２０１２をロックするとき、トレイ２０１２の一部分と協働するように構成されている。中央仕切りアセンブリ２０２７が取り付けブロック２０４２の間に保持された中央ＰＣＢ２０２８によって構成されている場合、左側の取り付けブロック２０４２のロックレバー２０１９は、シャーシ２０１０に対してスライド移動しないように右側トレイ２０１２ａをロックするとき、そのトレイ２０１２ａと協働する。右側の取り付けブロック２０４２のロックレバー２０１９は、シャーシ２０１０に対してスライド移動しないように左側トレイ２０１２ｂをロックするとき、そのトレイ２０１２ｂと協働する。前に説明したように、シャーシ２０１０は、右側トレイ２０１２ａのみがシャーシ２０１０２の前端２０３２から取り外しできるように、また、左側トレイ２０１２ｂのみがシャーシ２０１０の後端３０３４から取り外しできるように構成されている。以下に詳細に説明するように、ロックレバー２０１９は、トレイ２０１２がシャーシ２０１０からスライド可能に取り外される前に、中央仕切りアセンブリ２０２７から離れるように旋回される必要がある。
【０１３５】
図７０〜図７８を参照すると、各トレイアセンブリ２０２４の各トレイ２０１２は、メイン接続部２０７０、中央取り付け部２０７２、サイド取り付け部２０７４、およびケーブル管理部２０７６を備える。各トレイ２０１２はまた、取り付けレール２０２５に対してスライドするように構成された中央レール２０２３から形成されたスライドアセンブリ２０２１を備える。図７２の分解図に具体的に示すように、取り付けレール２０２５は、中央レール２０２３のトップカバー２０３１によって中央レール２０２３に対向するようにスライド可能に保持されたダブテール（ｄｏｖｅｔａｉｌ）部２０２９を備える。取り付けレール２０２５はまた、以下で説明される目的で、ギヤラック２０３３を備える。
【０１３６】
トレイ２０１２の中央取り付け部２０７２はまた、スライドアセンブリ２０１２の中央レール２０２３とスライド可能に連結するように構成されている。トレイ２０１２の中央取り付け部２０７２はまた、中央レール２０２３のトップカバー２０３１によって中央レール２０２３に対向するようにスライド可能に保持されているダブテール形状部２０３５を備える。トレイ２０１２の中央取り付け部２０７２はまた、以下で説明される目的で、ギヤラック２０３７を備える。
【０１３７】
トレイ２０１２のサイド取り付け部２０７４は、シャーシ２０１０の一方の側近傍に配置されているトレイアセンブリのエンドサポート２０４４に対してスライド可能に連結するように構成されている。
【０１３８】
上述したように、取り付けブロック２０４２とエンドサポート２０４４の両方は、スタック配置状態で設けられた複数の長手方向に延在する溝を含んでいる。取り付けブロック２０４２の溝２０７８は、各トレイ２０１２のスライドアセンブリ２０１２の取り付けレール２０２５をスライド可能に受け入れるように構成されている。取り付けブロック２０４２のロックレバー２０１９は、スナップ係合インターロックを用いて取り付けブロック２０４２に取り付けレール２０２５を固定するように構成されている。この方法において、スライドアセンブリ２０２１の取り付けレール２０２５は、取り付けブロック２０４２に、すなわちシャーシ２０１０に固定状態で取り付けられている。中央レール２０２３は、取り付けレール２０２５に対してスライドする。そして、以下で説明するように。ギヤ構成により、固定の取り付けレール２０２５に対する中央レール２０２３の速度の２倍で、トレイ２０１２は中央レール２０２３に対してスライドする。
【０１３９】
エンドサポート２０４４の溝２０８０は、トレイ２０１２をスライド移動可能に支持するために、各トレイ２０１２のサイド取り付け部２０７４を受け入れるように構成されている。
【０１４０】
トレイ２０１２のサイド取り付け部２０７４とエンドサポート２０４４の溝２０８０との間の相互作用について、サイド取り付け部２０７４とエンドサポート２０４４の溝２０８０は、係合し合うダブテール構造を備えることにより、スライド移動を可能にするとともに、横方向への離間を抑制している。棚タイプの位置合わせおよび支持構造などの他のタイプの支持構造が使用されてもよい。
【０１４１】
トレイ２０１２の中央取り付け部２０７２とスライドアセンブリ２０１２の中央レールとの間の相互作用に関して、上述したように、トレイの中央取り付け部２０７２はまた、中央レール２０２３のトップカバー２０３１によって中央レール２０２３に対向するようにスライド可能に保持されているダブテール形状部２０３５を備える。
【０１４２】
図７４および図７４Ａを参照すると、取り付けレール２０２５が分離した状態で示されている。上述したように、取り付けレール２０２５は、取り付けブロック２０４２に固定状態で取り付けられるように構成されたスライドアセンブリ２０２１の一部である。取り付けレール２０２５は、トレイ２０１２全体とそのスライドアセンブリ２０２１をシャーシ２０１０から取り外すとき、取り付けブロック２０４２の溝から取り外される必要がある部分である。さもなくば、取り付けブロック２０４２の所定の位置に取り付けレール２０２５が固定されている場合、各トレイ２０１２は、シャーシ２０１０から取り外されることなく、スライドアセンブリ２０２１を介して自由にスライドするだけである。
【０１４３】
１つの第１のトレイ２０１２ａの取り付けレール２０２５を参照すると、取り付けレール２０２５は、取り付けブロック２０４２の１つの溝２０７８内にスライド可能に挿入されるために、取り付けレール２０２５の最も左の壁２０４３にダブテール形状部２０４１を備える。上述したように、取り付けレール２０２５の最も右側の壁２０４５も、取り付けレール２０２５に対して中央レール２０２３がスライドできるように、ダブテール形状部２０２９を備えている。取り付けレール２０２５の最も右側の壁２０４５に設けられたギヤラック２０３３は、中央レール２０２３に配置された第１および第２のギヤホイール２０５１と係合するように構成されている。
【０１４４】
中央レール２０２３が取り付けレール２０２５に対してスライドするので、ギヤホイール２０５１のギヤ歯を介して、取り付けレール２０２５のギヤラック２０３３に係合するにつれてギヤホイール２０５１が回転する。ギヤホイール２０５１が回転するにつれて、そのホイール２０５１は、トレイ２０１２の中央取り付け部２０７２上のギヤラック２０３７に係合する。したがって、中央レール２０２３が固定の取り付けレール２０５に対してスライドするとき、トレイ２０１２は、ギヤ構成により、固定の取り付けレール２０２５に対する中央レール２０２３の速度の２倍で、トレイ２０１２は、中央レール２０２３に対してスライドする。
【０１４５】
図７４および図７４Ａを参照すると、取り付けレール２０２５は、その前端にＬＥＤマウント２０５５を備える。ＬＥＤマウント２０５５は、それぞれの面に１つずつＬＥＤ２０３０を備えるマイクロスライドＰＣＢ２０５７を収容するように構成されている。ＬＥＤ２０３０は、ＬＥＤマウント２０５５の前側に設けられた一対の透明レンズ２０５９を介して視認される。マイクロスライドＰＣＢ２０５７は、カバー２０６３を用いて、ＬＥＤマウント２０５５のＰＣＢポケット内に保持される。マイクロスライドＰＣＢ２０５７の後端は、エッジ接続部２０６５を備え、カードエッジ式コネクタ２０６７を受け入れる。マイクロスライドＰＣＢ２０５７の後端のカードエッジ式コネクタ２０６７は、中央ＰＣＢ２０２８上に設けられた前側延長部２０６９の１つと電気的に接続するように構成されている。中央ＰＣＢ２０２８の前側延長部２０６９は、カードエッジコネクタ２０６７を介してマイクロスライドＰＣＢ２０５７と電気的に接続するために、ＬＥＤマウント２０５５の後端に設けられたスロット２０７１を通過するように延在する。
【０１４６】
図７４Ａに示すように、マイクロスライドＰＣＢ２０５７は、リボンケーブル２０５６の形態のフレキシブル回路を介して、トレイ２０１２を中央ＰＣＢ２０２８に電気的に接続している。リボンケーブル２０５６は、マイクロスライドＰＣＢ２０５７に接続されるように構成され、ＬＥＤマウント２０５５のサイド入口２０７３を介してＰＣＢポケット２０６１内に進入する。
【０１４７】
図７２、図７４、および図７４Ａを参照すると、フレキシブル回路２０４６は、取り付けレール２０２５を通過するように延在する。取り付けレール２０２５は、取り付けレール２０２５に沿って長手方向に延在し、フレキシブル回路２０４６を収容するフレックスポケット２０７５を備える。取り付けレール２０２５の後端に向かって、取り付けレール２０２５は、以下で詳細に説明するように、中央レール２０２３に向かってフレックスポケット２０７５の外にフレキシブル回路２０４６を方向付けするためのスロット２０７７を備える。
【０１４８】
上述したように、取り付けレール２０２５は、中央仕切りアセンブリ２０２７の取り付けブロック２０４２に対して固定状態で取り付けられるように構成されたスライドアセンブリ２０１２の一部分である。
【０１４９】
上述したように、中央ＰＣＢ２０２８の左側の取り付けブロック２０４２は、３つのロックレバー２０１９を備える。取り付けブロック２０４２のロックレバー２０１９は、取り付けレール２０２５が取り付けブロック２０４２の溝２０７８内にスライド可能に挿入されると、スナップ係合インターロックを用いて取り付けレール２０２５を取り付けブロック２０４２に固定するように構成されている。図６５に示すように、各ＬＥＤマウント２０５５は、外部ロック戻り止め２０７９を備える。ロック戻り止め２０７９は、スナップ係合を用いてロックレバー２０１９を弾力的に受けいれる。トレイ２０１２全体がシャーシ２０１０から取り外される必要がある場合、ロックレバー２０１９は、戻り止め２０７９から離れるまで、戻り止め２０７９から離れる方向に旋回する。ロックレバー２０１９が戻り止め２０７９から離れると、トレイ２０１２全体をシャーシ２０１０からスライド可能に取り外すことができる。
【０１５０】
図７２〜図７３を参照すると、上述したように、中央レール２０２３は、中央レール２０２３の左側で取り付けレール２０２５を受け入れるとともに、中央レール２０２３の右側でトレイ２０１２の中央取り付け部２０７２を受け入れる。中央レール２０２３は取り付けレール２０２５に対してスライドし、中央レール２０２３内に配置されたギヤホイール２０５１によって中央レール２０２３に対してトレイ２０１２がスライドする。ギヤホイール２０５１、取り付けレール２０２５の最も右側の壁２０４５、およびトレイ２０１２の中央取り付け部２０７２のダブテール形状部２０３５は、トップカバー２０３１を介して中央レール２０２３に対して保持される。トップカバー２０３１は、固定具マウント２０８３に挿入された固定具２０８１を介して中央レール２０２３に固定されている。固定具マウント２０８３は、中央レール２０２３内に配置された仕切り壁２０８５に設けられている。
【０１５１】
第１および第２のギヤホイール２０５１ａ、２０５１ｂは、中央レール２０２３の仕切り壁２０８５内に形成されたホイールポケット２０８７内に配置されている。ギヤホイール２０５１は、トップカバー２０３１によって保持されると、自由に回転する。各ギヤホイール２０５１は、ギヤ歯２０５２を備える下側部と、リボンケーブルガイドまたはプーリ２０８９として機能する上側部とを備える。
【０１５２】
図７３に示すように、リボンケーブル２０４６の形態のフレキシブル回路がトレイ２０１２の中央取り付け部２０７２から出て中央レール２０２３内に入ると、フレキシブル回路２０４６は、中央レール２０２３の前側に向かって延在し、トレイ２０１２の中央取り付け部２０７２と中央レールの仕切り壁２０８５の右側との間に配置される。
【０１５３】
第１のギヤホイール２０５１ａのそばを通過すると、フレキシブル回路２０４６は、中央レール２０２３の後側に向かうとともに、仕切り壁２０８５の左側に配置される（仕切り壁２０８５と取り付けレール２０２５の最も右側の壁２０４５との間（図７３参照））。図７２に示すように、ギヤホイール２０５１を収容するポケット２０８７は、仕切り壁２０８５の右側から仕切り壁２０８５の左側へのリボンケーブル２０４６の通過を可能にするためのノッチ２０９１を備える。
【０１５４】
この方法において、図７３の上面図に示すように、スライドアセンブリ２０２１を介してシャーシ２０１０に対してトレイ２０１２が前後に移動されるにつれて、リボンケーブル２０４６のたるみが、リボンケーブル２０４６のためのプーリとして機能する第１のギヤホイール２０５１ａによって取られる。
【０１５５】
取り付けレール２０１５のフレックスポケット２０８７内に残るフレキシブル回路２０４６の部分は略固定されるが、その一方で中央レール２０２３の仕切り壁２０８５の両側に位置するフレキシブル回路２０４６の部分は、トレイ２０１２の前後の移動にしたがって前後に移動する。
【０１５６】
上述したように、スライドアセンブリ２０２１の取り付けレール２０２５は、取り付けブロック２０４２に、すなわちシャーシ２０１０に対して固定状態で取り付けられている。中央レール２０２３は、取り付けレール２０２５に対してスライドする。そして、トレイ２０１２は、ギヤ構成により、固定の取り付けレール２０２５に対する中央レール２０２３の速度の２倍で、取り付けレール２０２３に対してスライドする。
【０１５７】
トレイ２０１２が完全に引き出された位置にあるとき、旋回可能なスライドレバー２０９３が、トレイ２０１２のロックおよびリリースに使用される。図７２および図７３に示すように、中央レール２０２５は、その前端にレバーハウジング２０９５を備える。レバーハウジング２０９５は、スライドレバー２０９３を収容する。スライドレバー２０９３は、捕獲部２０９７と指掛け部２０９９とを備える。スライドレバー２０９３は、旋回ピン２０１３によって構成される旋回ヒンジ２１０１を介してレバーハウジング２０９５に旋回可能に連結される。スライドレバー２０９３は、レバーハウジング２０９５内のばね２１０５によって横方向に付勢されている。指掛け部２０９９を用いて左側に向かって横方向にレバー２０９３が押されるにつれて、ばね２０１５が、力を受けてレバー２０９３を右側に戻るように付勢する。捕獲部２０９７は、トレイ２０１２の中央取り付け部２０７２に形成された延長ラッチ２１０７に係合するように構成されている。
【０１５８】
トレイ２０１２が完全に引き出されたとき、延長ラッチ２１０７は、スライドレバー２０９３の捕獲部２０９５をロックする。トレイ２０１２が自由になるようにまたスライドして戻れるように、スライドレバー２０９３の指掛け部２０９９は、ばね２１０５の付勢力に逆らって押圧され、捕獲部２０９７がトレイ２０１２の延長ラッチ２１０７からリリースされる。
【０１５９】
シャーシ２０１０内へのトレイ２０１２のスライドが開始されると、トレイは移動経路上の複数の異なる位置で一時的に停止する。そのために、中央レール２０２３は、中央レール２０２３上の複数の異なる位置に配置されている停止用戻り止め（ｓｔｏｐ  ｄｅｔｅｎｔ）２１０９を備える。戻り止め２１０９は、トレイ２０１２の中央取り付け部２０７２に設けられた弾力的な位置決めラッチ２１１１と協働する。位置決めラッチ２１１１は、延長ラッチ２１０７の直下に配置され、停止用戻り止め２１０９に対する進入および離脱が容易になるように、丸まった形状を備える。
【０１６０】
中央レール２０２３が、シャーシ２０１０の両側からトレイ２０１２が前方向または後方向にアクセスされるまたはスライドされるように、スライドレバー２０９３などの同様の特徴が前側と後側の両方に設けられるように構成されていることに留意すべきである。
【０１６１】
図１１９〜図１２１を参照すると、トレイ２０１２などのトレイをシャーシ２０１０などのシャーシに取り付けるためのスライドアセンブリ５０２１の別のバージョンが示されている。スライドアセンブリ５０２１は、図７２〜図７３のスライドアセンブリ２０２１と同様の特徴を含んでいるが、以下に説明するように、いくつか異なる特徴も含んでいる。
【０１６２】
図１１９〜図１２１をさらに参照すると、スライドアセンブリ５０２１は、シャーシの中央位置でトレイ２０１２などのトレイをロックするためのロック構成をさらに含んでいる。
【０１６３】
スライドアセンブリ２０２１と同様に、スライドアセンブリ５０２１は、取り付けブロック２０４２に、すなわちシャーシ２０１０に対して固定状態で取り付けられる取り付けレール５０２５を備える。スライドアセンブリの中央レール５０２３は、取り付けレール５０２５に対してスライドする。そして、スライドアセンブリ５０２１を用いて取り付けられているトレイ２０１２などのトレイは、ギヤ構成により、固定の取り付けレール５０２５に対する中央レール５０２３の速度の二倍で、中央レール５０２３に対してスライドする。
【０１６４】
スライドアセンブリ５０２１は、スライドアセンブリ２０２１のスライドレバー２０９３と同様に旋回可能なスライドレバー５０９３を含んでいる。トレイが完全に引き出された位置にあるとき、旋回可能なスライドレバー５０９３は、そのトレイをロックまたはリリースするために使用される。図１１９、図１１９Ａ、図１２０、図１２０Ａ、および図１２０Ｂに示すように、中央レール５０２３は、その前端にレバーハウジング５０９５を備える。レバーハウジング５０９５は、スライドレバー５０９３を収容する。スライドレバー５４０９３は、捕獲部５０９７と指掛け部５０９９とを備える。スライドレバー５０９３は、旋回ピン５１０３によって構成された旋回ヒンジ５１０１を介して、レバーハウジング５０９５に旋回可能に連結される。スライドレバー５０９３は、レバーハウジング５０９５内のばね５１０５によって横方向に付勢されている。指掛け部５０９９を用いて左側に向かって横方向にレバー５０９３が押されるにつれて、ばね５０１５が、力を受けてレバー５０９３を右側に戻るように付勢する。捕獲部５０９７は、トレイ２０１２の中央取り付け部２０７２に形成された延長ラッチ２１０７などのラッチに係合するように構成されている。
【０１６５】
トレイ２０１２が完全に引き出されたとき、延長ラッチ２１０７は、スライドレバー５０９３の捕獲部５０９５をロックする。トレイ２０１２が自由になるようにまたスライドして戻れるように、スライドレバー５０９３の指掛け部５０９９は、ばね５１０５の付勢力に逆らって押圧され、捕獲部５０９７がトレイ２０１２の延長ラッチ２１０７からリリースされる。
【０１６６】
シャーシ２０１０内へのトレイ２０１２のスライドが開始されると、トレイは移動経路上の複数の異なる位置で一時的に停止する。そのために、中央レール５０２３は、中央レール５０２３上の複数の異なる位置に配置されている停止用戻り止め（ｓｔｏｐ  ｄｅｔｅｎｔ）５１０９を備える。戻り止め５１０９は、トレイ２０１２の中央取り付け部２０７２に設けられた弾力的な位置決めラッチ２１１１と協働する。位置決めラッチ２１１１は、延長ラッチ２１０７の直下に配置され、停止用戻り止め５１０９に対する進入および離脱が容易になるように、丸まった形状を備える。
【０１６７】
中央レール５０２３が、シャーシ２０１０の両側からトレイ２０１２などのトレイが前方向または後方向にアクセスされるまたはスライドされるように、スライドレバー５０９３などの同様の特徴が前側と後側の両方に設けられるように構成されている。
【０１６８】
上述したように、中央レール５０２３上の複数の異なる位置に配置された停止用戻り止め５１０９に加えて、スライドアセンブリ５０２１は、シャーシ２０１０などのシャーシの中央位置でトレイ２０１２などのトレイをロックするためのさらなるロック構成を含んでいる。
【０１６９】
図１１９〜図１２１に示すように、スライドアセンブリ５０２１は、スライドレバー５０９３に旋回可能に接続された旋回レバー５１１１を含んでいる。旋回レバー５１１１は、スライドアセンブリ５０２１の取り付けレール５０２５に設けられた戻り止め５１１５内に係合するように構成された第２の捕獲部５１１３を含んでいる。シャーシ２０１０内の中央位置にトレイ２０１２が配置されたとき、第２の捕獲部５１１３は戻り止め５１１５内に位置する。スライドレバー５０９３がばね５１０５によって右側に向かって横方向に付勢されているために、旋回レバー５１１１は反時計方向に旋回するように付勢され、第２の捕獲部５１１３がばね５１０５の付勢力を受けて戻り止め５１１５内に係合する。
【０１７０】
トレイ２０１２が中央位置から移動して前方向に引き出される必要がある場合、レバー５０９３は指掛け部５０９９を介して左側に向かって横方向に押され、ばね５１０５が圧縮される。レバー５０９３を横方向に左側に押すことにより、レバー５１１１が時計方向に旋回するとともに第２の捕獲部５１１３が戻り止め５１１５に対して自由になり、それによりトレイが前方向にスライド可能になる。
【０１７１】
中央レール５０２３は、トレイ２０１２がシャーシ２０１０の中央位置からリリースされるとそのシャーシ２０１０の両側で前方向または後方向にトレイ２０１２がアクセスされるまたはスライドされるように、その前側と後側の両方に旋回レバー５１１１などの同様の特徴を備えるように構成されている。
【０１７２】
図１２０Ａの詳細図に示すように、第２の捕獲部５１１３と戻り止め５１１５の両方は、トレイ２０１２がシャーシ２０１０の後側から引き出されるときに互いに係合する傾斜面５１１７、５１１９を含んでいる。スライドアセンブリの前側の第２の捕獲部５１１３の傾斜面５１１７は、中央レール５０２３が取り付けレール５０２５に対して移動されると、戻り止め５１１５から自動的に離れる。
【０１７３】
トレイ２０１２が中央位置にない場合、旋回レバー５１１１の第２の捕獲部５１１３は、取り付けレール５０２５の面に対して接触していないまたは単に乗っており、トレイのロックのために使用されていない。図１２１、図１２１Ａ、および図１２１Ｂ参照。図１２１、図１２１Ａ、および図１２１Ｂに示すようにトレイ２０１２が前方位置または後方位置にある場合、スライドレバー５０９３はただトレイ２０１２のロックに使用されている。
【０１７４】
図１２０、図１２０Ａ、および図１２０Ｂは、トレイ２０１２などのトレイがシャーシ２０１０の中央位置でロックされ、前側および後側の旋回レバー５１１１の両方がトレイのロックに使用されている様子を示している。トレイが中央位置から前方向または後方向に移動される場合、対応するスライドレバー５０９３（前側または後側）の指掛け部５０９９は、トレイが自由になるように、スライドレバー５０９３に取り付けられている旋回レバー５１１１を移動させるために押される必要がある。
【０１７５】
したがって、スライドアセンブリ５０２１は、前方位置および後方位置のみならず、中央位置でもトレイをロックすることが可能な構成を含んでいる。トレイは、スライドレバー５０９３の指掛け部５０９９に再び係合しない限り、中立位置から偶発的に移動することがない。
【０１７６】
図７５を再び参照すると、トレイ２０１２のメイン中央部２０７０が、中央取り付け部２０７２とサイド取り付け部２０７４との間に配置され、トレイ２０１１のための接続箇所を備えるように構成されている。配線シャーシ２０１０に複数のトレイ２０１２をスタックすることによって光ファイバ伝送に関する接続部の密度が増加し、また、前方向にまたは後方向にスライド可能なトレイ２０１２によって配線シャーシ２０１０の前側と後側の両方からアクセスを容易に実行することができる。
【０１７７】
図７５に示すように、トレイ２０１２のメイン接続部２０７０の図示するバージョンは、本実施の形態のトレイ２０１２において光ファイバ接続箇所を構成する光ファイバアダプタを取り付けるためのマウント２１１６を含んでいる。具体的には、本願で説明されるトレイ２０１２において、光ファイバ接続箇所はＬＣ型フットプリントを備えるアダプタによって構成されてもよい。図示する実施の形態において、２４個のＬＣアダプタが、マウント２１１６に形成されたスナップ係合接続部を介して、マウント２１１６に取り付けられてもよい。本開示で示す高密度配線シャーシ２０１０において、上述したように１４４個のＬＣ接続部を備えるために、６個のスライド可能トレイ２０１２が１ＲＵのラックスペースに設けられてもよい。
【０１７８】
早くに説明したように、他の標準的な光ファイバアダプタ（ＳＣアダプタまたはＭＰＯアダプタなど）を、マウント２１１６に取り付けることも可能である。光ファイバアダプタはトレイ２０１２のために接続箇所を提供するたった１種類の光ファイバ部品であり、トレイ２０１２は他の種類の光ファイバ部品とともに使用されることも可能である。例えば、光ファイバスプリッタ、カプラ、マルチプレクサ／デマルチプレクサ、またはケーブルを接続箇所から離れるように配線するための他の種類の部品などが、メイン接続部２０７０に収容されてもよい。
【０１７９】
光ファイバアダプタが使用される場合、複数の接続箇所は、マウント２１１６に個々に取り付けられた複数のアダプタによって構成されてもよく、または、上述の実施の形態で説明したように、複数のアダプタをブロック状に一体化したアダプタブロックアセンブリによって構成されてもよい。他の実施の形態において、複数の接続箇所は、一方の側に複数の光ファイバアダプタを備えて他方の側にマルチファイバコネクタまたは外側に延在するケーブルを備えるカセットの形態であってもよい。光ファイバは、通常、そのカセット内に収容される。
【０１８０】
アダプタブロックアセンブリやカセットなどの接続箇所を備える一例のデバイスが、２０１３年２月５日に出願され、タイトルが”Ｏｐｔｉｃａｌ  Ａｓｓｅｍｂｌｉｅｓ  ｗｉｔｈ  Ｍａｎａｇｅｄ  Ｃｏｎｎｃｔｉｖｉｔｙ”であって代理人整理番号が０２３１６．３６２５ＵＳＰ１、０２３１６．３６２７ＵＳＰ１、および０２３１６．３６３１ＵＳＰ１の米国特許出願と、２０１３年７月８日に出願され、タイトルが”Ｏｐｔｉｃａｌ  Ａｓｓｅｍｂｌｉｅｓ  ｗｉｔｈ  Ｍａｎａｇｅｄ  Ｃｏｎｎｅｃｔｉｖｉｔｙ”であって代理人整理番号が０２３１６．３６２５ＵＳＰ２、０２３１６．３６２７ＵＳＰ２、および０２３１６．３６３１ＵＳＰ２の米国特許出願と、本願と同時に出願され、タイトルが” Ｏｐｔｉｃａｌ  Ａｓｓｅｍｂｌｉｅｓ  ｗｉｔｈ  Ｍａｎａｇｅｄ  Ｃｏｎｎｅｃｔｉｖｉｔｙ”であって代理人整理番号が０２３１６．３６２５ＵＳＵ１、０２３１６．３６２７ＵＳＵ１、および０２３１６．３６３１ＵＳＵ１の米国特許出願とに、詳細に説明され、これらは、その全体が参照として本明細書に組み込まれている。
【０１８１】
上述したように、シャーシまたはパネル２０１０は、１ラックユニット（１ＲＵ）サイズや４ラックユニット（４ＲＵ）サイズで使用されてもよい。１ＲＵパネルは、１４４個の組み合わせＬＣコネクタ対、７２個のＳＣコネクタ対、または４８個のＭＰＯコネクタ対を収容してもよい。４ＲＵパネルは、同一の機能を備える場合、１ＲＵユニットの４倍の数のコネクタを収容してもよい。
【０１８２】
各パネル２０１０内において、また各トレイ２０１２内において、接続箇所は、パネル２０１０の前側２０３２および後側２０３４の両方からアクセス可能であってもよい。アダプタブロックアセンブリは、パネル２０１０の中央部にくるようにスライドトレイ２０１２に搭載されてもよい。トレイ２０１２は、アダプタブロックアセンブリの前側接続部または後側接続部にアクセスするために、前方向または後方向にスライド可能である。
【０１８３】
トレイ２０１２に取り付けられるアダプタブロックアセンブリの前端および後端から延在する高密度のケーブルを管理する場合、ケーブルを管理することは、高密度配線パネルまたはフレームの重要な態様である。
【０１８４】
上述したように、トレイ２０１２それぞれは、アダプタの前側ポートから延在するケーブルとアダプタの後側ポートから延在するケーブルの両方に関して、シャーシ２０１０から離れるように接続箇所から延在するケーブルを管理するためのケーブル管理部２０７６を含むように構成されている。トレイ２０１２のケーブル管理部２０７６は、トレイ２０１２が前後方向にスライド移動する間、ケーブルの要求された最小の曲げ半径を維持しつつケーブルのたるみを調整するように構成されている。また、トレイ２０１２のケーブル管理部２０７６は、ケーブルの引っ張りや挟み込みを抑制するために、また必要以上のケーブルのたるみを制限するために、接続箇所からシャーシ２０１０の外部までのケーブルの長さを同一で維持するように構成されている。
【０１８５】
トレイ２０１２それぞれのケーブル管理部２０７６は、前側ケーブル管理部２０７６ａと後側ケーブル管理部２０７６ｂとによって構成されてもよい。前側および後側のケーブル管理部２０７６ａ、２０７６ｂは同様の構成であり、説明の簡素化のために本明細書では前側ケーブル管理部２０７６ａのみが説明されているが、所定のトレイ２０１２の前側ケーブル管理部２０７６ａの独創的な特徴全てが、後側ケーブル管理部２０７６ｂにも完全にあてはまることに留意すべきである。
【０１８６】
図７１、および図７６〜図７８を参照すると、前側ケーブル管理部２０７６ａは、トレイ２０１２のサイド取り付け部に隣接配置された範囲リミッタ２１２４と、範囲リミッタ２１２４とトレイアセンブリ２０２４のエンドサポート２０４４の前側との間に取り付けられた５つのケーブル管理リンクアーム２１２８から構成されたリンクアームアセンブリ２１２６とによって構成されている。トレイ２０１２のサイド取り付け部２０７４はまた、その周りのケーブルを管理するために範囲リミッタ２１２４にスナップ係合する取り外し可能なケーブル管理爪２１４４を含んでいる。
【０１８７】
図示する実施の形態において、トレイ２０１２のケーブル管理部２０７６は、その内部にケーブルを上側および横側から装着されるように構成されている。図７１および図７６〜図７８に示すように、範囲リミッタ２１２４は、略曲線状のケーブル溝２１４２と、その内部でケーブルを保持するために取り外し可能に取り付けられて内側に向かって延在するケーブル管理爪２１４４とを備える。このような例において、ケーブルは、接続箇所から延在して上側から範囲リミッタ２１４４内に装着される。
【０１８８】
トレイ２０１２が前方向に引き出されたとき、リンクアーム２１２８は、アダプタブロックアセンブリ２１２０の前側のアクセスを邪魔することなく前方向にスイングするように構成されている。作業者が前側コネクタにアクセスするおよび／または装着すると、トレイ２０１２は元のクローズ位置に押し戻される。
【０１８９】
リンクアーム２１２８は、互いに対して旋回可能に連結されてそれぞれの間の旋回挙動が制限されている５つのリンクアームによって構成されている。リンクアーム１２８の全ては、例えば第１のオス側端２１５０の円柱状タブ２１４８と対向する第２のメス側端２１５４の円筒状穴２１５２とによって、旋回挙動が可能に構成されたスナップ係合連結部を含んでいる。
【０１９０】
５つのリンクアームは、トレイアセンブリ２０２４のエンドサポート２０４４の前側に直接的に且つ旋回可能に連結されている第１のリンクアーム２１２８ａを含んでいる。第１のリンクアーム２１２８ａは、図２２と同様に、トレイ２０１２が閉じられている状態のときの横方向姿勢と、トレイ２０１２が完全に空いている状態のときの縦方向姿勢との間で動作できるように、エンドサポート２０４４に対して旋回可能に接続されている。第１のリンクアーム２１２８ａに設けられた接触面２１４６ａが、エンドサポート２０４４に対する第１のリンクアーム２１２８ａのそれ以上の挙動を防止している。リンクアームアセンブリ２１２６の次のリンクアーム２１２８ｂは、以下に詳細に説明するように、リンクアームアセンブリ２１２６を付勢することによってトレイ２０１２を閉じるように構成された引っ張りばね２１１３を収容するように構成されている。
【０１９１】
次に続く２つのリンクアーム２１２８ｃは、互いに同一の形状を備えるように構成されている。同様のリンクアーム２１２８ｃそれぞれは、第２のリンクアーム２１２８ｂから、各トレイ２０１２の範囲リミッタ２１２４に接続されている第５のリンクアーム２１２８ｄに向かって連続して連結している。リンクアーム２１２８それぞれは、第１のリンクアーム２１２８ａのように、互いに対する旋回挙動を制限するための接触面２１５６を備える。例えば、トレイ２０１２が完全に開くときに、第１のリンクアーム２１２８ａに直接的に連結されているリンクアーム２１２８ｂは、それに対するそれ以上の旋回挙動を防止するための接触面２１５６を備えてもよい。第１のリンクアーム２１２８ａを含むリンクアーム２１２８それぞれは、移動中のトレイ２０１２の位置に関係なく、その内部に収容しているケーブルが要求されている最小の曲げ半径より小さくならないように構成されている。
【０１９２】
図７６〜図７８を参照すると、右側リンクアームアセンブリ２１２６と左側リンクアセンブリ２１２６の分解図が示され、リンクアームアセンブリ２１２６を付勢するように構成された引っ張りばね２１１３とそれによってクローズ位置に位置するトレイ２０１２とが示されている。リンクアームアセンブリ２１２６において、リンクアーム２１２８ｂは、スライド可能なばねマウント２１１５を支持するように構成されている。ばねマウントカバー２１１７が、スライド可能ばねマウント２１１５をリンクアーム２１２８ｂに対向するように保持し、スナップ係合部２１１９を介してリンクアーム２１２８ｂにスナップ係合している。ばねマウントカバー２１１７は、スライド可能ばねマウント２１１５がスライドする溝２１２１を備える。引っ張りばね２１１３は、スライド可能ばねマウント２１１５に設けられた取り付けピン２１２３とばねマウントカバー２１１７に設けられた取り付けピン２１２５との間に取り付けられる（図７８参照）。スライド可能ばねマウント２１１５がばねマウントカバー２１１７のピン２１２５から離れるようにスライドするにつれて、引っ張りばね２１１３が荷重を受けて引っ張られる。伸張位置のとき、ばね２１１３は、スライド可能ばねマウント２１１５を初期位置に向かって付勢する。スライド可能ばねマウント２１１は、ばねマウントリンク２１２９を介して１つのリンクアーム２１２８ｃにリンクされている。ばねマウントリンク２１２９は、スライド可能ばねマウント２１１５とリンクアーム２１２８ｃの両方に設けられた穴２１３３の形態のオス側スナップ係合部に受け入れられるピン２１３１の形態のメス側スナップ係合部を備える。
【０１９３】
この方法において、リンクアーム２１２８ｂとリンクアーム２１２８ｃが互いに対して旋回したとき、スライド可能ばねマウント２１１５は、ばねマウントリンク２１２９を介してスライド可能に移動される。スライド可能ばねマウント２１１５がばねマウントカバー２１１７に対してその溝２１２１に沿って移動されるので、ばね２１１３は伸びて付勢力を受ける。したがって、リンクアーム２１２８ｂと２１２８ｃが９０以上の角度で旋回されると、ばね２１１３は、リンクアーム２１２８ｂ、２１２８ｃを略９０度の直角状態になるように付勢し、リンクアームアセンブリ２１２６全体をトレイ２０１２内に戻るように引っ張り始める。引っ張りばね２１１３による引っ張りが開始されると、リンクアームアセンブリ２１２６とトレイ２０１２とがシャーシ２０１０内に容易に戻される。１つのリンクアーム２１２８ｂにのみ引っ張りばね２１１３が使用されるが、２つのリンクアーム２１２８ｂが、製造の効率性を考慮して、ばねマウントリンク２１２９の一端を受け入れる収容部２１３３を含むように同一形状に作製されている。また、ここでは引っ張りばね２１１３に関して１つのリンクアームアセンブリ２１２６のみ説明したが、引っ張りばね２１１３が、トレイのクローズを容易にするために、シャーシ２０１０の４つのコーナー全てで使用されていることに留意すべきである。
【０１９４】
図８７〜図９５を参照すると、リンクアームアセンブリの折り畳みおよび伸展を容易にする他の特徴が示されている。図８７〜図９５に示される特徴は、第１のリンクアームをそれに取り付けられている隣接するリンクアームから離れる方向に付勢するように構成された圧縮ばねアセンブリ４１１５を含んでいる。圧縮ばねアセンブリ４１１５が、上述したリンクアセンブリ２１２６と同様の特徴を備える代わりの実施の形態のリンクアセンブリ４１２６とともに示されていることに留意すべきである。以下で詳細に説明されるリンクアセンブリ４１２６は、リンクアセンブリ２１２６の特徴に対して追加的ないくつかの特徴を含んでいる。
【０１９５】
図８７〜図９５をさらに参照すると、圧縮ばねアセンブリ４１１５は、リンクアーム４１２８ｂから離れるように第１のリンクアーム４１２８を付勢し、２つのアーム４１２８ａ、４１２８ｂの間の角度を略９０度にするように構成されている。圧縮ばね４１１５による付勢により、リンクアームアセンブリ４１２６が容易に折り畳まれ、また伸展する。伸展中、リンクアーム４１２８ｂは、ばねアセンブリ４１１５に接触力を付与し、ばねアセンブリ４１１５は、第１のリンクアーム４１２８ａに力を付与し、それにより２つのリンクアームが略９０度離れ、アーム４１２８ａ、４１２８ｂがスムーズに伸展する。同様に、折り畳み中、リンクアーム４１２８ａは、圧縮ばねアセンブリ４１１５を介してリンクアーム４１２８に接触力を付与し、リンクアーム４１２８ｂをリンクアーム４１２８ａから離れるようにクローズ方向に移動させ始める。
【０１９６】
図８９の分解図に示すように、圧縮ばねアセンブリ４１１５は、ばねハウジング４１１９内に取り付けられているスライダ４１１７を含んでいる。スライダ４１１７は、スライダ４１１７とばねハウジング４１１９との間に保持されている圧縮ばね４１１３を介して、ばねハウジング４１１９から離れるように付勢されている。スライダ４１１７は、ばねハウジング４１１９に設けられた対向溝４１２３内をスライドする一対のタブ４１２１を備える。スライダ４１１７は、溝４１２３の一端に形成されてスライダ４１１７のタブ４１２１に接触されるストッパ４１２５により、ばねハウジング４１１９から離れる方向の移動が制限されている。スライダ４１１７とばねハウジング４１１９は、ばねハウジング４１１９内でスライダ４１１７をスライド可能にガイドするために、さらなるガイドまたはキー構造４１３１、４１３３を備える。ばねハウジングは図９０〜９２では分離状態で示され、スライダは図９３〜図９５では分離状態で示されている。
【０１９７】
ばねハウジング４１１９は、図８７〜図９２に示すように、ばねハウジング４１１９を第１のリンクアーム４１２８ａに係止するためのスナップ係合部４１２７を含んでいる。別のバージョンのリンクアセンブリ４１２６に設けられたスナップ係合タブ４１２９などの、第１のリンクアーム４１２８ａに設けられたその特徴は、上述のリンクアセンブリ２１２６と比較すると、いくつか異なる。そのバージョンのリンクアーム４１２６のいくつか別の相違点については、以下で詳細に説明する。
【０１９８】
図７６〜図７８を再び参照すると、一例の実施の形態によれば、図７６〜図７８に示すように、全てのリンクアーム２１２８（およびリンクアーム４１２８）は、上側および横河からケーブルが装着されるように構成されてもよく、ケーブル管理タブ２１５８がその周縁２１６０に設けられてもよい。
【０１９９】
トレイアセンブリ２０２４の１つのエンドサポート２０４４に直接的に取り付けられている第１のリンクアーム２１２８ａは、１つの多芯ファイバケーブルから複数の一芯ファイバケーブルにファイバを移行させるデバイスであるファンアウト（ｆａｎｏｕｔｓ）などの構造を保持するように構成されてもよい。
【０２００】
図９６〜図１１８に示すように、リンクアームアセンブリ２１２６と同様の特徴を備えるリンクアームアセンブリ４１２６のバージョンが、ファンアウトなどの部品を保持するように構成された特徴とともに示されている。代わりのバージョンのリンクアセンブリ４１２６に設けられたファンアウトなどの部品を保持する特徴は、上述のリンクアセンブリ２１２６と比較して、いくつか異なる。
【０２０１】
さらに図９６〜図１１８を参照すると、このバージョンのリンクアセンブリ４１２６において、第１のリンクアーム４１２８ａは、異なるサイズのファンアウトを保持する特徴を含んでいる。図示する実施の形態において、第１のリンクアーム４１２８ａは、２つの異なるサイズのファンアウトを保持する特徴を含んでいる。
【０２０２】
図９６〜図１００において、第１のリンクアーム４１２８ａが、一対の第１のファンアウト４１４１（例えば２ｍｍのファンアウト）を備えた状態で示されている。リンクアーム４１２８ａは、リンクアーム４１２８ａの上壁４１４５および底壁４１４７に、第１のファンアウト４１４９をスナップ係合インターロックによって受け入れるバンプ４１４３を備えてもよい。第１のファンアウト４１４１は、第１のリンクアーム４１２８ａの上壁４１４５および底壁４１４７に設けられたバンプ４１４３を受け入れるキャビティまたはスロット４１４９を備える。図９６および図９７に示すように、２つのファンアウト４１４１が取り付けられたとき、一方が傾いた状態で取り付けられ、それにより後側のファンアウト４１４１から扇状に拡がるケーブル４１５３のためのスペース４１５１が確保されている。後側のファンアウト４１４１から扇状に拡がるケーブル４１５３は、前側のファンアウト４１４１を通過することができ、リンクアーム４１２８ａの外縁に形成されたケーブル管理部４１６０によって保持されている。
【０２０３】
図１０１〜図１０４を参照すると、第１のリンクアーム４１２８が、一対の第２のファンアウト４１６１を備えた状態で示されている。図示されている第２のファンアウト４１６１は、９００ミクロンのファンアウトであって、上述した２ｍｍの第１のファンアウト４１４１に比べて小さいサイズである。第２のファンアウト４１６１の取り付けにおいて、リンクアーム４１２８ａは、スナップ係合インターロックによって第２のファンアウト４１６１を受け入れるように構成され、且つ、第１のリンクアーム４１２８ａに係止されるファンアウトホルダ４１５５を使用する。
【０２０４】
ホルダ４１５５と第２のファンアウト４１６１は、図１０５に分解された状態で示されている。図１０６〜図１１１においては、ホルダ４１５５と第２のファンアウト４１６１は連結した状態である。ホルダ４１５５は、図１１２〜図１１８では、分離された状態で示されている。
【０２０５】
上述したように、ホルダ４１５５は、そのホルダ４１５５の上側および底側の両方に弾力的なカンチレバーアーム４１５７を含んでいる。カンチレバーアーム４１５７は、第１のリンクアーム４１２８ａの上壁４１４５および底壁４１４７に設けられた戻り止め４１６２にスナップ係合するように構成された係止タブ４１５９を含んでいる。ホルダ４１５５はまた、第２のファンアウト４１６１をホルダ４１５５に取り付けるための弾力的な保持タブ４１６４を含んでいる。
【０２０６】
したがって、ホルダ４１５５を使用する場合、リンクアーム４１２８ａは、２つの異なる種類およびサイズのファンアウトを収容するための特徴を備えている。
【０２０７】
図７６〜図７８を再び参照すると、一例のケーブル配線構成において、ケーブルは、トレイ２０１２の前側および後側接続箇所から出て、範囲リミッタ２１２４を通過し、リンクアーム２１２８ｄ、２１２８ｃ、２１２８ｂを順に通過し、最終的には、シャーシ２０１０の外部に出る前に第１のリンクアーム２１２８ａを通過する。上述したように、前側リンクアームアセンブリ２１２６ａと後側リンクアームアセンブリ２１２６ｂは、トレイ２０１２がいずれかの方向から引き出されるにつれて同期するように移動し、それによりケーブルのたるみを管理する。
【０２０８】
図７０、図７１、および図７１Ａを参照すると、トレイ２０１２のケーブル管理部２０７６はまた、トレイの前側および後側に向かって延在する各トレイ２０１２のメイン接続部に設けられたスナップ式ケーブルリテイナ２００５を含んでもよい。ケーブルリテイナ２００５は、トレイ２０１２の中央仕切り部２１６４と連結するためのスナップ係合部を含んでもよい。ケーブルリテイナ２００５は、接続箇所からリンクアームアセンブリ２１２６に向かって延在するケーブルを保持または維持するように構成されている。
【０２０９】
例えば、図７５、図７９、および図８０を参照すると、上述の実施の形態で説明したように、いくつかの態様によれば、アダプタブロックアセンブリの形態でトレイ２０１２に搭載されているいくつかの種類のアダプタは、受け入れた１つまたはそれ以上の光ファイバコネクタから物理層情報を集めるように構成されてもよい。例えば、アダプタブロックアセンブリのいくつかの種類のアダプタは、光ファイバコネクタに接触するメモリと通信するように構成された１つまたはそれ以上のメディア読み出しインターフェースを保持するように構成された本体を含んでもよい。１つまたはそれ以上のメディア読み出しインターフェースが、アダプタ本体内に配置されてもよい。いくつかの実施において、アダプタ本体は、アダプタ本体とコネクタのフェルールを収容する内部通路との間を延在するスロットを備えてもよい。
【０２１０】
いくつかの種類のメディア読み出しインターフェースは、スロット内に配置された１つまたはそれ以上の接点部材を含んでもよい。各接点部材の一部分は、光ファイバコネクタと接触するメモリと通信するために、それぞれ1つの通路内を延在してもよい。各接点部材の別の部分は、アダプタブロックアセンブリに配置されている回路基板に接触するために、スロットの外部へ延在してもよい。上述したように、トレイ２０１２の一部とシャーシ２０１０は、シャーシ２０１０を収容するラック４０のコントローラと通信するシャーシ２０１０のメインコントローラまたはメインＰＣＢ２０３５に対して、アダプタのメディア読み出しインターフェースを接続するように構成された導電性パスを備えてもよい。
【０２１１】
シャーシ２０１０のメインコントローラ２０３６またはラック４０のコントローラは、メディア読み出しインターフェースによって得られた物理層情報を管理するように構成された処理ユニットを含んでもよい、または処理ユニットと接続してもよい（例えば、ネットワーク上で）。
【０２１２】
図示する一例の実施の形態によれば、各トレイ２０１２に対して、作業者がトレイ２０１２のスナップ係合部を介してアダプタブロックアセンブリを取り付けると、アダプタブロックアセンブリが、上述したようにネットワークに接続されてもよい。このような管理パネル２０１０の場合、例えば、アダプタブロックアセンブリのプリント回路基板は、図７５および図７９に示すように、トレイ２０１２上のマルチピンコネクタ２１６２を介してトレイ２０１２に接続してもよい。トレイ１２上のマルチピンコネクタ２１６２は、パネル２０１０内で中央ＰＣＢ２０２８とつながるリボンケーブル２０４６によって形成されたフレキシブル回路に取り付けられてもよい。図示するように、マルチピンコネクタ２１６２からリボンケーブル２０４６までの導電性パスは、トレイ２０１２の中央仕切り部２１６４に配置されたプリント回路基板２０４８と、トレイ２０１２のメイン接続部２０７０の後側２１６６に沿って横方向に配置されたフレキシブルリボンケーブル２０４６の一部分２０４５とによって提供される。プリント回路基板２０４８とリボンケーブル２０４６の横方向部分２０４５は、好ましくは、中央仕切り２１６４とトレイ２０１２のメイン接続部２０７０の後側２１６６とに設けられた凹部２１６８内に同一平面に取り付けられる。
【０２１３】
トレイＰＣＢカバー２００１は、図７１および図７１Ａに示すように、プリント回路基板２０４８とリボンケーブル２０４６の横方向部分２０４５とを保護するために、トレイにスナップ係合してもよい。
【０２１４】
後側２１６６に沿って横方向に配置されているフレキシブル回路またはリボンケーブルの一部分２０４５は、トレイ２０１２の中央取り付け部２０７２からスライドアセンブリ２０２１に向かうにつれて、その姿勢が垂直方向にねじれる。リボンケーブルの垂直部分２０４７は、トレイ２０１２の中央取り付け部２０７２の後端近傍に設けられたスロット２１３５を通過し、トレイ２０１２の中央取り付け部２０７２の反対側に向かう。上述したように、垂直な姿勢のリボンケーブル２０４６の部分２０４７は、図７２、図７３、および図７９に示すように、トレイ２０１２のスライドアセンブリ２０２１内でループされてもよい。リボンケーブル２０４６の垂直部分２０４７は、スライドアセンブリ２０２１内で移動可能に構成されており、それにより、トレイ２０１２は、中央ＰＣＢ２０２８とトレイＰＣＢ２０４８との間のリボンケーブル２０４６を介する通信を邪魔することなく、前後に移動することができる。
【０２１５】
図７３に示すように、リボンケーブル２０４６がトレイ２０１２の中央取り付け部２０７２から出て中央レール２０２３に入ると、リボンケーブル２０４６は、中央レール２０２３の前側に向かって延在し、トレイ２０１２の中央取り付け部２０７２と中央レール２０２３の仕切り壁２０８５の右側との間に配置される。第１のギヤホイール２０５１ａのそばを通過すると、リボンケーブル２０４６は、中央レール２０２３の後側に向かって進み、仕切り壁２０８５の左側に配置される（仕切り壁２０８５と取り付けレール２０２５の最も右側の壁２０４５との間（図７３参照））。トレイ２０１２がスライドアセンブリ２０２１を介してシャーシ２０１０に対して後側や前側に移動されるにつれて、リボンケーブル２０４６内のたるみが、リボンケーブル２０４６のためのプーリとして機能する第１のギヤホイール１０５１ａによって取られる。
【０２１６】
取り付けレール２０２５のフレックスポケット２０７５内のリボンケーブル２０４６の部分は略固定された状態であり、一方、中央レール２０２３の仕切り壁２０８５の両側に位置するリボンケーブル２０４６の部分は、トレイ２０１２が前後に移動するにつれて前後に移動する。上述したように、フレックスポケット２０７５内のリボンケーブル２０４６の端２１７２は、スライドアセンブリ２０２１の取り付けレール２０２５のＬＥＤマウント２０５５内に収容されたマイクロスライドＰＣＢ２０５７に接続する。トレイ２０１２が取り付けブロック２０４２にスライド可能に取り付けられてロックレバー２０１９を介してロックされている場合、トレイ２０１２は、マイクロスライドＰＣＢ２０５７と中央ＰＣＢ２０２８の前側延長部２０６９との間のカードエッジ式接続部を介してＰＣＢ２０２８との電気的通信を確立する。
【０２１７】
上述したように、スライドアセンブリ２０２１のマイクロスライドＰＣＢ２０５７は、トレイ２０１２にアクセスすべき旨を作業者に通知するために、パネル２０１０の前側２０３２と後側２０３４の両方に設けられたＬＥＤ２０３０などのインジケータを使用してもよい。中央ＰＣＢ２０２８は、トレイアセンブリ２０２４のエンドサポート２０４４内に収容されたシャーシ２０１０のメインＰＣＢまたはコントローラ２０３６に接続してもよい。この接続は、パネル２０１０のトップカバー２０１８に沿って延在してエンドサポート２０４４に入るトップＰＣＢ２０５０を介して行われている。トップＰＣＢ２０５０は、カードエッジ式接続部を介して溝２０６２の後側に配置されているバックプレーンＰＣＢ２０６６に向かって延在するように構成されている。作業者は、当該エンドサポート２０４４の取り外し可能な前側エンドキャップ２０６４を取り外すことによってメインコントローラ２０３６にアクセスすることができる。メインコントローラ２０３６はまた、その反対側で、バックプレーンＰＣＢ２０６６と接続するために、カードエッジ式接続部を使用してもよく、それにより、メインコントローラ２０３６を現場交換可能なデバイスとして扱うことができる。メインコントローラ２０３６は、パネル２０１０の横の接続部を介して、高レベル管理接続ラックまたはフレーム４０と通信するように構成される。パネル２０１０のメインコントローラ２０３６は、パネル２０１０の横の別の接続部を介して駆動されてもよい。
【０２１８】
右側のエンドサポート２０４４が、エンドキャップ２０６４の取り外し可能性を示すために、分解された状態で図６８に示されている。エンドキャップ２０６４は、そのエンドキャップ２０６４を取り外すときにシャーシ２０１０の前側に向かって引っ張られる必要があるエンドキャップレバー２１３７を含んでいる。レバー２１３７は、エンドキャップ２０６４に対向してレバー２１３７を保持するために使用されるエンドキャップカバー２２４１によって形成された開口２１３９内でスライドする。レバー２１３７は、２つの対向し合うロックタブ２１４５のピン２１４３を受け入れるように構成された一対の傾斜ピン溝２１４１を備える。ロックタブ２１４５は、エンドサポート２０４４に設けられた延長部２１５１に形成された上側および下側のノッチ２１４９内にスナップ係合するように構成されたテーパー状のロック端２１４７を含んでいる。テーパー状端２１４７は、エンドキャップ２０６４が前方向に引っ張られてエンドサポート２０４４から取り外されるためには、ノッチ２１４９から離れる必要がある。図６９に示すように、シャーシ２０１０の前側に向かってレバー２１３７が引っ張られると、ロックタブ２１３７はレバー２１３７に向かって引っ張られる。ノッチ２１４９にスナップ係合されたテーパー状端２１４７はピン２１４３と溝２１４１との相互作用によってノッチ２１４９から引っ張り出され、エンドキャップ２０６４がエンドサポート２０４４から取り外される。ばね２１５３は、レバー２１３７を後方向に付勢し、ロックタブ２１４５をロック位置で維持する。レバー２１３７が前方向に引っ張られると、レバー２１３７は、ばね２１５３の付勢力に対抗して引っ張られる。
【０２１９】
メインコントローラ２０３６がエンドサポート２０４４に挿入されると、エンドキャップ２０６４がエンドサポート２０４４にスライド可能に再挿入され、エンドサポート２０４４の延長部２１５１がエンドキャップ２０６４のガイド２１５５にスライド可能に係合する。ロックタブ２１４５のテーパー状端２１４７は、延長部２１５１に接触し、最終的には、延長部２１５１のノッチ２１４９にスナップ係合するまで、ばね２１５３の付勢を受けつつ延長部２１５１を通過する。
【０２２０】
図示する実施の形態において、右側エンドサポート２０４４の前側エンドキャップ２０６４は、自身を取り外し可能とするための特徴を備える。同様のエンドキャップカバー２１４１が、製造効率を考慮して、シャーシ２０１０の４つのコーナー全てで使用されてもよい。
【０２２１】
”上”、”底”、”前”、”後”、”右”、”左”、”上側”、および”下側”は、説明のために使用されたのであって、このような用語を使用することによって制限する意図はない。本明細書で説明されている通信デバイスは、所望される用途に応じて任意の姿勢で使用することができる。
【０２２２】
本発明の好ましい態様や実施の形態について説明したが、当業者であれば開示されている概念の改良物や同等物を容易に想到することができる。しかしながら、そのような改良物や同等物は添付の請求項の範囲に含まれている。
【図１】
2016505175.tif 000003
【図２】
2016505175.tif 000004
【図３】
2016505175.tif 000005
【図４】
2016505175.tif 000006
【図５】
2016505175.tif 000007
【図６】
2016505175.tif 000008
【図７】
2016505175.tif 000009
【図８】
2016505175.tif 000010
【図９】
2016505175.tif 000011
【図１０】
2016505175.tif 000012
【図１１】
2016505175.tif 000013
【図１２】
2016505175.tif 000014
【図１３】
2016505175.tif 000015
【図１４】
2016505175.tif 000016
【図１５】
2016505175.tif 000017
【図１６】
2016505175.tif 000018
【図１７】
2016505175.tif 000019
【図１８】
2016505175.tif 000020
【図１９】
2016505175.tif 000021
【図２０】
2016505175.tif 000022
【図２１】
2016505175.tif 000023
【図２２】
2016505175.tif 000024
【図２３】
2016505175.tif 000025
【図２４】
2016505175.tif 000026
【図２５】
2016505175.tif 000027
【図２６】
2016505175.tif 000028
【図２７】
2016505175.tif 000029
【図２８】
2016505175.tif 000030
【図２９】
2016505175.tif 000031
【図３０】
2016505175.tif 000032
【図３１】
2016505175.tif 000033
【図３２】
2016505175.tif 000034
【図３３】
2016505175.tif 000035
【図３４】
2016505175.tif 000036
【図３５】
2016505175.tif 000037
【図３６】
2016505175.tif 000038
【図３７】
2016505175.tif 000039
【図３８】
2016505175.tif 000040
【図３９】
2016505175.tif 000041
【図４０】
2016505175.tif 000042
【図４１】
2016505175.tif 000043
【図４２】
2016505175.tif 000044
【図４３】
2016505175.tif 000045
【図４４】
2016505175.tif 000046
【図４５】
2016505175.tif 000047
【図４６】
2016505175.tif 000048
【図４７】
2016505175.tif 000049
【図４８】
2016505175.tif 000050
【図４９】
2016505175.tif 000051
【図５０】
2016505175.tif 000052
【図５１】
2016505175.tif 000053
【図５２】
2016505175.tif 000054
【図５３】
2016505175.tif 000055
【図５４】
2016505175.tif 000056
【図５５】
2016505175.tif 000057
【図５６】
2016505175.tif 000058
【図５７】
2016505175.tif 000059
【図５８】
2016505175.tif 000060
【図５９】
2016505175.tif 000061
【図６０】
2016505175.tif 000062
【図６１】
2016505175.tif 000063
【図６２】
2016505175.tif 000064
【図６３】
2016505175.tif 000065
【図６４】
2016505175.tif 000066
【図６５】
2016505175.tif 000067
【図６６】
2016505175.tif 000068
【図６７】
2016505175.tif 000069
【図６８】
2016505175.tif 000070
【図６９】
2016505175.tif 000071
【図７０】
2016505175.tif 000072
【図７１】
2016505175.tif 000073
【図７１Ａ】
2016505175.tif 000074
【図７２】
2016505175.tif 000075
【図７３】
2016505175.tif 000076
【図７４】
2016505175.tif 000077
【図７４Ａ】
2016505175.tif 000078
【図７５】
2016505175.tif 000079
【図７６】
2016505175.tif 000080
【図７７】
2016505175.tif 000081
【図７８】
2016505175.tif 000082
【図７９】
2016505175.tif 000083
【図８０】
2016505175.tif 000084
【図８１】
2016505175.tif 000085
【図８２】
2016505175.tif 000086
【図８２Ａ】
2016505175.tif 000087
【図８３】
2016505175.tif 000088
【図８４】
2016505175.tif 000089
【図８５】
2016505175.tif 000090
【図８６】
2016505175.tif 000091
【図８７】
2016505175.tif 000092
【図８７Ａ】
2016505175.tif 000093
【図８８】
2016505175.tif 000094
【図８９】
2016505175.tif 000095
【図９０】
2016505175.tif 000096
【図９１】
2016505175.tif 000097
【図９２】
2016505175.tif 000098
【図９３】
2016505175.tif 000099
【図９４】
2016505175.tif 000100
【図９５】
2016505175.tif 000101
【図９６】
2016505175.tif 000102
【図９７】
2016505175.tif 000103
【図９８】
2016505175.tif 000104
【図９９】
2016505175.tif 000105
【図１００】
2016505175.tif 000106
【図１０１】
2016505175.tif 000107
【図１０２】
2016505175.tif 000108
【図１０３】
2016505175.tif 000109
【図１０４】
2016505175.tif 000110
【図１０５】
2016505175.tif 000111
【図１０６】
2016505175.tif 000112
【図１０７】
2016505175.tif 000113
【図１０８】
2016505175.tif 000114
【図１０９】
2016505175.tif 000115
【図１１０】
2016505175.tif 000116
【図１１１】
2016505175.tif 000117
【図１１２】
2016505175.tif 000118
【図１１３】
2016505175.tif 000119
【図１１４】
2016505175.tif 000120
【図１１５】
2016505175.tif 000121
【図１１６】
2016505175.tif 000122
【図１１７】
2016505175.tif 000123
【図１１８】
2016505175.tif 000124
【図１１９】
2016505175.tif 000125
【図１１９Ａ】
2016505175.tif 000126
【図１２０】
2016505175.tif 000127
【図１２０Ａ】
2016505175.tif 000128
【図１２０Ｂ】
2016505175.tif 000129
【図１２１】
2016505175.tif 000130
【図１２１Ａ】
2016505175.tif 000131
【図１２１Ｂ】
2016505175.tif 000132
【国際調査報告】
2016505175.tif 000133
2016505175.tif 000134
2016505175.tif 000135